(57)【要約】【課題】ユーザが望む情報の望むページをより簡単に表示させる表示装置及び表示手段に表示する画像の制御を行う出力装置を提供する。【解決手段】コンテンツ目次ページ５０１を１番目の電子ペーパに表示し、２番目以降の電子ペーパにコンテンツ目次ページに記載されているコンテンツの章目次ページが表示される。ユーザは、コンテンツ目次ページに記載の数の電子ペーパをめくって、そのコンテンツの章目次ページを開くことによりコンテンツを選択する。章目次ページが開かれると、その後ろの電子ペーパには各章の１ページ目の画像がサンプルページとして表示される。章目次ページには各章の名称とめくり数が表示されており、ユーザは表示させたい章のめくり数だけ電子ペーパをめくる。すると、そこにはその章の１ページ目の画像が表示されており、さらにその後ろの電子ペーパには２ページ目以降の画像が表示される。【選択図】図８
2008046577.tif 000002
【特許請求の範囲】
【請求項１】
画像を表示する表示手段を備えた複数枚の電子ペーパと、前記複数枚の電子ペーパを束ねる綴じ部材と、前記電子ペーパへ画像の情報を出力し画像を前記表示手段に表示する出力装置とを備えた表示装置であって、
前記電子ペーパは、
前記綴じ部材内における当該電子ペーパの位置を検出する位置検出手段と、
当該電子ペーパと他の電子ペーパとを識別するための情報である識別情報を記憶する識別情報記憶手段とを備え、
前記出力装置は、
前記電子ペーパから、当該電子ペーパの前記位置検出手段により検出された位置を示す情報である位置情報を当該電子ペーパの前記識別情報記憶手段に記憶されている前記識別情報と共に取得する位置情報取得手段と、
当該位置情報取得手段により取得された前記位置情報と前記識別情報とに基づいて、当該表示装置に綴じられている各電子ペーパの綴じ順序を算出し、当該綴じ順序に基づいて各電子ペーパに備えられている前記表示手段の順序を判定する順序判定手段と、
複数ページ分の画像の情報のまとまりである複数の単位情報を順に記憶する単位情報記憶手段と、
前記順序判定手段により判定された順序が連続する前記表示手段に対して、前記単位情報を示す代表画像を、単位情報が前記単位情報記憶手段に記憶されている順序に従って連続して表示する代表画像表示制御手段と、
前記電子ペーパがめくられたことを検出するめくり検出手段と、
前記めくり検出手段により前記電子ペーパがめくられたことが検出されたとき、前記代表画像が表示された連続する前記表示手段のうちいずれかの表示手段が最前面に移動されたか否かを判断する最前面表示手段判断手段と、
前記最前面表示手段判断手段によりいずれかの表示手段が最前面に移動したと判断された場合に、最前面に移動したと判断された表示手段である最前面表示手段以外の前記表示手段に、前記単位情報記憶手段に記憶されている前記単位情報のうち、前記最前面表示手段に表示されている前記代表画像に示されている単位情報の前記画像を表示する書換手段とを備えたことを特徴とする表示装置。
【請求項２】
前記単位情報記憶手段に記憶されている前記単位情報を識別する識別情報と、当該単位情報の前記代表画像が表示されている前記表示手段を示す案内情報とを記載した画像である目次ページを作成する目次ページ作成手段と、
当該目次ページ作成手段により作成された前記目次ページを前記順序判定手段により先頭であると判定された前記表示手段である先頭表示手段に表示する目次ページ表示制御手段とを備え、
前記代表画像表示制御手段は、前記先頭表示手段より前記順序が後方の前記表示手段に前記代表画像を表示することを特徴とする請求項１に記載の表示装置。
【請求項３】
前記代表画像表示制御手段は、前記代表画像として前記単位情報の１ページ目の画像を順に表示し、
前記書換手段は、前記最前面表示手段以外の前記表示手段に当該単位情報の２ページ目以降の画像を表示することを特徴とする請求項１又は２に記載の表示装置。
【請求項４】
前記出力装置は、
前記書換手段により前記単位情報の画像が表示された後、前記めくり検出手段により前記電子ペーパがめくられたことが検出された場合に、前記書換手段により前記表示手段に表示された前記単位情報について前記表示手段に表示されていないページの画像がある場合には、当該表示されていないページの画像を前記順序判定手段により判定された順序に従って前記めくられた表示手段に順に表示するめくり書換手段とを備えたことを特徴とする請求項１乃至３のいずれかに記載の表示装置。
【請求項５】
前記書換手段は、当該単位情報の最後のページの画像を表示した前記表示手段の次の順序の前記表示手段に前記目次ページを表示することを特徴とする請求項１乃至４のいずれかに記載の表示装置。
【請求項６】
前記書換手段は、前記順序判定手段により順序が最後あると判定された前記表示手段には前記単位情報を表示せずに前記目次ページを表示し、前記めくり検出手段により前記電子ペーパがめくられたことが検出された際に、前記順序判定手段により前記表示手段の順序を判定し、前記順序判定手段により順序が最後であると判定された前記表示手段に前記単位情報を表示せずに前記目次ページを表示することを特徴とする請求項１乃至５のいずれかに記載の表示装置。
【請求項７】
前記単位情報は、当該単位情報を階層構造に分割された下位の単位情報で構成される場合があり、
前記出力装置は、
当該単位情報に対して１階層下の単位情報についての前記識別情報及び前記案内情報を記載した画像である下位目次ページを作成する下位目次ページ作成手段と、
前記単位情報が階層構造に分割された下位の単位情報で構成されているか否かの判断を行う下位判断手段とを備え、
前記代表画像表示制御手段は、前記下位判断手段により前記単位情報がさらに下位の前記単位情報を有すると判断された場合には、前記表示手段に表示する前記代表画像を前記下位目次ページ作成手段により作成された前記下位目次ページとし、
前記書換手段は、前記最前面表示手段に前記下位目次ページが表示されている場合には、前記最前面表示手段より順序が後方の前記表示手段に当該下位の単位情報を示す代表画像を表示することを特徴とする請求項１乃至６のいずれかに記載の表示装置。
【請求項８】
当該表示装置が動かされたか否かを検知する移動検知手段を備え、
前記移動検知手段により当該表示装置が動かされていないと所定時間継続して判断された後、当該移動検知手段により当該表示装置が動かされたと検知された際に、前記順序判定手段が動作し、その後、前記代表画像表示制御手段が動作することを特徴とする請求項１乃至７のいずれかに記載の表示装置。
【請求項９】
前記電子ペーパは貫通孔を備え、
前記綴じ部材は前記貫通孔を貫通する貫通部を備え、
前記貫通孔に前記貫通部が貫通されることにより前記電子ペーパが前記綴じ部材に綴じられていることを特徴とする請求項１乃至８のいずれかに記載の表示装置。
【請求項１０】
前記綴じ部材は、
前記貫通部において前記電子ペーパの前記貫通孔に接触する位置に電気抵抗体を備え、
前記電子ペーパは、
前記貫通孔に接触した前記電気抵抗体の電圧値を計測する電圧値計測手段を備え、
前記位置検出手段は、前記電圧計測手段により計測された前記電圧値に基づいて、前記貫通部における当該電子ペーパの位置を検出することにより前記綴じ部材内における当該電子ペーパの位置を検出することを特徴とする請求項９に記載の表示装置。
【請求項１１】
画像を表示する表示手段を備えた複数枚の電子ペーパを綴じ部材で束ねた表示装置において、前記電子ペーパへ前記画像の情報を出力し画像を前記表示手段に表示する出力装置であって、
前記電子ペーパにおいて検出された前記綴じ部材内における当該電子ペーパの位置を示す情報である位置情報と、当該電子ペーパに記憶されている他の電子ペーパと識別するための識別情報を前記電子ペーパから取得する位置情報取得手段と、
当該位置情報取得手段により取得された前記位置情報と前記識別情報とに基づいて、当該表示装置に綴じられている各電子ペーパの綴じ順序を算出し、当該綴じ順序に基づいて各電子ペーパに備えられている前記表示手段の順序を判定する順序判定手段と、
複数ページ分の画像の情報のまとまりである複数の単位情報を順に記憶する単位情報記憶手段と、
前記順序判定手段により判定された順序が連続する前記表示手段に対して、前記単位情報を示す代表画像を、単位情報が前記単位情報記憶手段に記憶されている順序に従って連続して表示する代表画像表示制御手段と、
前記電子ペーパがめくられたことを検出するめくり検出手段と、
前記めくり検出手段により前記電子ペーパがめくられたことが検出されたとき、前記代表画像が表示された連続する前記表示手段のうちいずれかの表示手段が最前面に移動されたか否かを判断する最前面表示手段判断手段と、
前記最前面表示手段判断手段によりいずれかの表示手段が最前面に移動したと判断された場合に、最前面に移動したと判断された表示手段である最前面表示手段以外の前記表示手段に、前記単位情報記憶手段に記憶されている前記単位情報のうち、前記最前面表示手段に表示されている前記代表画像に示されている単位情報の前記画像を表示する書換手段とを備えたことを特徴とする出力装置。
【請求項１２】
前記単位情報記憶手段に記憶されている前記単位情報を識別する識別情報と、当該単位情報の前記代表画像が表示されている前記表示手段を示す案内情報とを記載した画像である目次ページを作成する目次ページ作成手段と、
当該目次ページ作成手段により作成された前記目次ページを前記順序判定手段により先頭であると判定された前記表示手段である先頭表示手段に表示する目次ページ表示制御手段とを備え、
前記代表画像表示制御手段は、前記先頭表示手段より前記順序が後方の前記表示手段に前記代表画像を表示することを特徴とする請求項１１記載の出力装置。
【請求項１３】
前記代表画像表示制御手段は、前記代表画像として前記単位情報の１ページ目の画像を順に表示し、
前記書換手段は、前記最前面表示手段以外の前記表示手段に当該単位情報の２ページ目以降の画像を表示することを特徴とする請求項１１又は１２に記載の出力装置。
【請求項１４】
前記書換手段により前記単位情報の画像が表示された後、前記めくり検出手段により前記電子ペーパがめくられたことが検出された場合に、前記書換手段により前記表示手段に表示された前記単位情報について前記表示手段に表示されていないページの画像がある場合には、当該表示されていないページの画像を前記順序判定手段により判定された順序に従って前記めくられた表示手段に順に表示するめくり書換手段とを備えたことを特徴とする請求項１１乃至１３のいずれかに記載の出力装置。
【請求項１５】
前記書換手段は、当該単位情報の最後のページの画像を表示した前記表示手段の次の順序の前記表示手段に前記目次ページを表示することを特徴とする請求項１１乃至１４のいずれかに記載の出力装置。
【請求項１６】
前記書換手段は、前記順序判定手段により順序が最後あると判定された前記表示手段には前記単位情報を表示せずに前記目次ページを表示し、前記めくり検出手段により前記電子ペーパがめくられたことが検出された際に、前記順序判定手段により前記表示手段の順序を判定し、前記順序判定手段により順序が最後であると判定された前記表示手段に前記単位情報を表示せずに前記目次ページを表示することを特徴とする請求項１１乃至１５のいずれかに記載の出力装置。
【請求項１７】
前記単位情報は、当該単位情報を階層構造に分割された下位の単位情報で構成される場合があり、
当該単位情報に対して１階層下の単位情報についての前記識別情報及び前記案内情報を記載した画像である下位目次ページを作成する下位目次ページ作成手段と、
前記単位情報が階層構造に分割された下位の単位情報で構成されているか否かの判断を行う下位判断手段とを備え、
前記代表画像表示制御手段は、前記下位判断手段により前記単位情報がさらに下位の前記単位情報を有すると判断された場合には、前記表示手段に表示する前記代表画像を前記下位目次ページ作成手段により作成された前記下位目次ページとし、
前記書換手段は、前記最前面表示手段に前記下位目次ページが表示されている場合には、前記最前面表示手段より順序が後方の前記表示手段に当該下位の単位情報を示す代表画像を表示することを特徴とする請求項１１乃至１６のいずれかに記載の出力装置。
【請求項１８】
当該表示装置が動かされたか否かを検知する移動検知手段を備え、
前記移動検知手段により当該表示装置が動かされていないと所定時間継続して判断された後、当該移動検知手段により当該表示装置が動かされたと検知された際に、前記順序判定手段が動作し、その後、前記代表画像表示制御手段が動作することを特徴とする請求項１１乃至１７のいずれかに記載の出力装置。
【発明の詳細な説明】
【技術分野】
【０００１】
本発明は、表示装置および出力装置に関するものであり、詳細には、表示手段を備えた電子ペーパが複数枚綴じられた表示装置及び表示装置に設けられ表示手段に表示する画像の制御を行う出力装置における、表示手段に表示する画像の選択及び画像の表示に関するものである。
【背景技術】
【０００２】
従来、電子書籍と呼ばれる、表裏の両面に表示手段を備えた電子ペーパを複数枚束ねて綴じ込んだ表示装置が知られている。
【０００３】
また、このような表示装置では、小説やコミックなどのコンテンツを表示手段にページ単位で表示させ、ユーザが本を読んでいるような感覚で表示装置を扱えるように種々の工夫がなされている。例えば、特許文献１に記載の発明の画像表示装置では、装置本体（電子ペーパ）の反転を検知することにより、装置本体がめくられたことを検出して表示手段の書き換えが行われている。
【０００４】
【特許文献１】特開２００３−１３１６１２号公報
【発明の開示】
【発明が解決しようとする課題】
【０００５】
しかしながら、特許文献１に記載の発明のような画像表示装置に多数のページに渡るコンテンツが表示されている場合、ユーザがコンテンツの途中の所望のページを閲覧したいときは、ユーザはその途中のページまでページをめくることを繰りかえさなければならず、手間がかかるという問題点がある。
【０００６】
本発明は、上述の問題点を解決するためになされたものであり、ユーザが望むページをより簡単に閲覧できる表示装置及び表示手段に表示する画像の制御を行う出力装置、及び、その出力装置を備えた表示装置を提供することを目的とする。
【課題を解決するための手段】
【０００７】
上記課題を解決するため、請求項１に係る発明の表示装置では、画像を表示する表示手段を備えた複数枚の電子ペーパと、前記複数枚の電子ペーパを束ねる綴じ部材と、前記電子ペーパへ画像の情報を出力し画像を前記表示手段に表示する出力装置とを備えた表示装置であって、前記電子ペーパは、前記綴じ部材内における当該電子ペーパの位置を示す情報である位置情報を検出する位置検出手段と、当該電子ペーパと他の電子ペーパとを識別するための情報である識別情報を記憶する識別情報記憶手段とを備え、前記出力装置は、前記電子ペーパから、当該電子ペーパの前記位置検出手段により検出された前記位置情報を当該電子ペーパの前記識別情報記憶手段に記憶されている前記識別情報と共に取得する位置情報取得手段と、当該位置情報取得手段により取得された前記位置情報と前記識別情報とに基づいて、当該表示装置に綴じられている各電子ペーパの綴じ順序を算出し、当該綴じ順序に基づいて各電子ペーパに備えられている前記表示手段の順序を判定する順序判定手段と、複数ページ分の画像の情報のまとまりである複数の単位情報を順に記憶する単位情報記憶手段と、前記順序判定手段により判定された順序が連続する前記表示手段に対して、前記単位情報を示す代表画像を、単位情報が前記単位情報記憶手段に記憶されている順序に従って連続して表示する代表画像表示制御手段と、前記電子ペーパがめくられたことを検出するめくり検出手段と、前記めくり検出手段により前記電子ペーパがめくられたことが検出されたとき、前記代表画像が表示された連続する前記表示手段のうちいずれかの表示手段が最前面に移動されたか否かを判断する最前面表示手段判断手段と、前記最前面表示手段判断手段によりいずれかの表示手段が最前面に移動したと判断された場合に、最前面に移動したと判断された表示手段である最前面表示手段以外の前記表示手段に、前記単位情報記憶手段に記憶されている前記単位情報のうち、前記最前面表示手段に表示されている前記代表画像に示されている単位情報の前記画像を表示する書換手段とを備えたことを特徴とする。
【０００８】
また、請求項２に係る発明の表示装置では、請求項１に記載の発明の構成に加えて、前記単位情報記憶手段に記憶されている前記単位情報を識別する識別情報と、当該単位情報の前記代表画像が表示されている前記表示手段を示す案内情報とを記載した画像である目次ページを作成する目次ページ作成手段と、当該目次ページ作成手段により作成された前記目次ページを前記順序判定手段により先頭であると判定された前記表示手段である先頭表示手段に表示する目次ページ表示制御手段とを備え、前記代表画像表示制御手段は、前記先頭表示手段より前記順序が後方の前記表示手段に前記代表画像を表示することを特徴とする。
【０００９】
また、請求項３に係る発明の表示装置では、請求項１又は２に記載の発明の構成に加えて、前記代表画像表示制御手段は、前記代表画像として前記単位情報の１ページ目の画像を順に表示し、前記書換手段は、前記最前面表示手段以外の前記表示手段に当該単位情報の２ページ目以降の画像を表示することを特徴とする。
【００１０】
また、請求項４に係る発明の表示装置では、請求項１乃至３のいずれかに記載の発明の構成に加えて、前記出力装置は、前記書換手段により前記単位情報の画像が表示された後、前記めくり検出手段により前記電子ペーパがめくられたことが検出された場合に、前記書換手段により前記表示手段に表示された前記単位情報について前記表示手段に表示されていないページの画像がある場合には、当該表示されていないページの画像を前記順序判定手段により判定された順序に従って前記めくられた表示手段に順に表示するめくり書換手段とを備えたことを特徴とする。
【００１１】
また、請求項５に係る発明の表示装置では、請求項１乃至４のいずれかに記載の発明の構成に加えて、前記書換手段は、当該単位情報の最後のページの画像を表示した前記表示手段の次の順序の前記表示手段に前記目次ページを表示することを特徴とする。
【００１２】
また、請求項６に係る発明の表示装置では、請求項１乃至５のいずれかに記載の発明の構成に加えて、前記書換手段は、前記順序判定手段により順序が最後あると判定された前記表示手段には前記単位情報を表示せずに前記目次ページを表示し、前記めくり検出手段により前記電子ペーパがめくられたことが検出された際に、前記順序判定手段により前記表示手段の順序を判定し、前記順序判定手段により順序が最後であると判定された前記表示手段に前記単位情報を表示せずに前記目次ページを表示することを特徴とする。
【００１３】
また、請求項７に係る発明の表示装置では、請求項１乃至６のいずれかに記載の発明の構成に加えて、前記単位情報は、当該単位情報を階層構造に分割された下位の単位情報で構成される場合があり、前記出力装置は、当該単位情報に対して１階層下の単位情報についての前記識別情報及び前記案内情報を記載した画像である下位目次ページを作成する下位目次ページ作成手段と、前記単位情報が階層構造に分割された下位の単位情報で構成されているか否かの判断を行う下位判断手段とを備え、前記代表画像表示制御手段は、前記下位判断手段により前記単位情報がさらに下位の前記単位情報を有すると判断された場合には、前記表示手段に表示する前記代表画像を前記下位目次ページ作成手段により作成された前記下位目次ページとし、前記書換手段は、前記最前面表示手段に前記下位目次ページが表示されている場合には、前記最前面表示手段より順序が後方の前記表示手段に当該下位の単位情報を示す代表画像を表示することを特徴とする。
【００１４】
また、請求項８に係る発明の表示装置では、請求項１乃至７のいずれかに記載の発明の構成に加えて、当該表示装置が動かされたか否かを検知する移動検知手段を備え、前記移動検知手段により当該表示装置が動かされていないと所定時間継続して判断された後、当該移動検知手段により当該表示装置が動かされたと検知された際に、前記順序判定手段が動作し、その後、前記代表画像表示制御手段が動作することを特徴とする。
【００１５】
また、請求項９に係る発明の表示装置では、請求項１乃至８のいずれかに記載の発明の構成に加えて、前記電子ペーパは貫通孔を備え、前記綴じ部材は前記貫通孔を貫通する貫通部を備え、前記貫通孔に前記貫通部が貫通されることにより前記電子ペーパが前記綴じ部材に綴じられていることを特徴とする。
【００１６】
また、請求項１０に係る発明の表示装置では、請求項９に記載の発明の構成に加えて、前記綴じ部材は、前記貫通部において前記電子ペーパの前記貫通孔に接触する位置に電気抵抗体を備え、前記電子ペーパは、前記貫通孔に接触した前記電気抵抗体の電圧値を計測する電圧値計測手段を備え、前記位置検出手段は、前記電圧計測手段により計測された前記電圧値に基づいて、前記貫通部における当該電子ペーパの位置を検出することにより前記綴じ部材内における当該電子ペーパの位置を検出することを特徴とする。
【００１７】
また、請求項１１に係る発明の出力装置では、画像を表示する表示手段を備えた複数枚の電子ペーパを綴じ部材で束ねた表示装置において、前記電子ペーパへ前記画像の情報を出力し画像を前記表示手段に表示する出力装置であって、前記電子ペーパにおいて検出された前記綴じ部材内における当該電子ペーパの位置を示す情報である位置情報と、当該電子ペーパに記憶されている他の電子ペーパと識別するための識別情報を前記電子ペーパから取得する位置情報取得手段と、当該位置情報取得手段により取得された前記位置情報と前記識別情報とに基づいて、当該表示装置に綴じられている各電子ペーパの綴じ順序を算出し、当該綴じ順序に基づいて各電子ペーパに備えられている前記表示手段の順序を判定する順序判定手段と、複数ページ分の画像の情報のまとまりである複数の単位情報を順に記憶する単位情報記憶手段と、前記順序判定手段により判定された順序が連続する前記表示手段に対して、前記単位情報を示す代表画像を、単位情報が前記単位情報記憶手段に記憶されている順序に従って連続して表示する代表画像表示制御手段と、前記電子ペーパがめくられたことを検出するめくり検出手段と、前記めくり検出手段により前記電子ペーパがめくられたことが検出されたとき、前記代表画像が表示された連続する前記表示手段のうちいずれかの表示手段が最前面に移動されたか否かを判断する最前面表示手段判断手段と、前記最前面表示手段判断手段によりいずれかの表示手段が最前面に移動したと判断された場合に、最前面に移動したと判断された表示手段である最前面表示手段以外の前記表示手段に、前記単位情報記憶手段に記憶されている前記単位情報のうち、前記最前面表示手段に表示されている前記代表画像に示されている単位情報の前記画像を表示する書換手段とを備えたことを特徴とする。
【００１８】
また、請求項１２に係る発明の出力装置では、請求項１１記載の発明の構成に加えて、前記単位情報記憶手段に記憶されている前記単位情報を識別する識別情報と、当該単位情報の前記代表画像が表示されている前記表示手段を示す案内情報とを記載した画像である目次ページを作成する目次ページ作成手段と、当該目次ページ作成手段により作成された前記目次ページを前記順序判定手段により先頭であると判定された前記表示手段である先頭表示手段に表示する目次ページ表示制御手段とを備え、前記代表画像表示制御手段は、前記先頭表示手段より前記順序が後方の前記表示手段に前記代表画像を表示することを特徴とする。
【００１９】
また、請求項１３に係る発明の出力装置では、請求項１１又は１２に記載の発明の構成に加えて、前記代表画像表示制御手段は、前記代表画像として前記単位情報の１ページ目の画像を順に表示し、前記書換手段は、前記最前面表示手段以外の前記表示手段に当該単位情報の２ページ目以降の画像を表示することを特徴とする。
【００２０】
また、請求項１４に係る発明の出力装置では、請求項１１乃至１３のいずれかに記載の発明の構成に加えて、前記書換手段により前記単位情報の画像が表示された後、前記めくり検出手段により前記電子ペーパがめくられたことが検出された場合に、前記書換手段により前記表示手段に表示された前記単位情報について前記表示手段に表示されていないページの画像がある場合には、当該表示されていないページの画像を前記順序判定手段により判定された順序に従って前記めくられた表示手段に順に表示するめくり書換手段とを備えたことを特徴とする。
【００２１】
また、請求項１５に係る発明の出力装置では、請求項１１乃至１４のいずれかに記載の発明の構成に加えて、前記書換手段は、当該単位情報の最後のページの画像を表示した前記表示手段の次の順序の前記表示手段に前記目次ページを表示することを特徴とする。
【００２２】
また、請求項１６に係る発明の出力装置では、請求項１１乃至１５のいずれかに記載の発明の構成に加えて、前記書換手段は、前記順序判定手段により順序が最後あると判定された前記表示手段には前記単位情報を表示せずに前記目次ページを表示し、前記めくり検出手段により前記電子ペーパがめくられたことが検出された際に、前記順序判定手段により前記表示手段の順序を判定し、前記順序判定手段により順序が最後であると判定された前記表示手段に前記単位情報を表示せずに前記目次ページを表示することを特徴とする。
【００２３】
また、請求項１７に係る発明の出力装置では、請求項１１乃至１６のいずれかに記載の発明の構成に加えて、前記単位情報は、当該単位情報を階層構造に分割された下位の単位情報で構成される場合があり、前記出力装置は、当該単位情報に対して１階層下の単位情報についての前記識別情報及び前記案内情報を記載した画像である下位目次ページを作成する下位目次ページ作成手段と、前記単位情報が階層構造に分割された下位の単位情報で構成されているか否かの判断を行う下位判断手段とを備え、前記代表画像表示制御手段は、前記下位判断手段により前記単位情報がさらに下位の前記単位情報を有すると判断された場合には、前記表示手段に表示する前記代表画像を前記下位目次ページ作成手段により作成された前記下位目次ページとし、前記書換手段は、前記最前面表示手段に前記下位目次ページが表示されている場合には、前記最前面表示手段より順序が後方の前記表示手段に当該下位の単位情報を示す代表画像を表示することを特徴とする。
【００２４】
また、請求項１８に係る発明の出力装置では、請求項１１乃至１７のいずれかに記載の発明の構成に加えて、当該表示装置が動かされたか否かを検知する移動検知手段を備え、前記移動検知手段により当該表示装置が動かされていないと所定時間継続して判断された後、当該移動検知手段により当該表示装置が動かされたと検知された際に、前記順序判定手段が動作し、その後、前記代表画像表示制御手段が動作することを特徴とする。
【発明の効果】
【００２５】
請求項１に係る発明の表示装置では、電子ペーパの位置検出手段は、綴じ部材内における電子ペーパの位置を示す情報である位置情報を検出し、識別情報記憶手段は、電子ペーパと他の電子ペーパとを識別するための情報である識別情報を記憶することができる。そして、出力装置の位置情報取得手段は、電子ペーパから、電子ペーパの位置検出手段により検出された位置情報を電子ペーパの識別情報記憶手段に記憶されている識別情報と共に取得し、順序判定手段は、位置情報取得手段により取得された位置情報と識別情報とに基づいて、表示装置に綴じられている各電子ペーパの綴じ順序を算出し、綴じ順序に基づいて各電子ペーパに備えられている表示手段の順序を判定し、単位情報記憶手段は、複数ページ分の画像の情報のまとまりである複数の単位情報を順に記憶し、代表画像表示制御手段は、順序判定手段により判定された順序が連続する表示手段に対して、単位情報を示す代表画像を、単位情報が単位情報記憶手段に記憶されている順序に従って連続して表示することができる。そして、めくり検出手段は電子ペーパがめくられたことを検出し、最前面表示手段判断手段は、めくり検出手段により電子ペーパがめくられたことが検出されたとき、代表画像が表示された連続する表示手段のうちいずれかの表示手段が最前面に移動されたか否かを判断し、書換手段は、最前面表示手段判断手段によりいずれかの表示手段が最前面に移動したと判断された場合に、最前面に移動したと判断された表示手段である最前面表示手段以外の表示手段に、単位情報記憶手段に記憶されている単位情報のうち、最前面表示手段に表示されている代表画像に示されている単位情報の画像を表示することができる。したがって、表示させたい単位情報の代表画像が表示されている電子ペーパの表示手段を最前面に持ってくるだけで、その単位情報を選択して、その他の表示手段に単位情報を表示させることができる。よって、簡単な操作でユーザの望むページを電子ペーパに表示させることができる。
【００２６】
また、請求項２に係る発明の表示装置では、請求項１に記載の発明の効果に加えて、目次ページ作成手段は、単位情報記憶手段に記憶されている単位情報を識別する識別情報と、単位情報の代表画像が表示されている表示手段を示す案内情報とを記載した画像である目次ページを作成し、目次ページ表示制御手段は、目次ページ作成手段により作成された目次ページを順序判定手段により先頭であると判定された表示手段である先頭表示手段に表示することができる。そして、代表画像表示制御手段は、先頭表示手段より順序が後方の表示手段に代表画像を表示することができる。したがって、ユーザは、目次ページに記載されている案内情報を参照して、閲覧したい情報の代表画像を表示した表示手段を開くことができるので、より簡単に閲覧したいページを表示することができる。
【００２７】
また、請求項３に係る発明の表示装置では、請求項１又は２に記載の発明の効果に加えて、代表画像表示制御手段は、代表画像として単位情報の１ページ目の画像を順に表示し、書換手段は、最前面表示手段以外の表示手段に単位情報の２ページ目以降の画像を表示することができる。したがって、ユーザは１ページ目の画像を見てその単位情報を閲覧したいか否かを判断することができる。さらに、続きの表示手段に続きのページの画像が表示されるので、ユーザはそのまま電子ペーパをめくって閲覧を続けることができ、閲覧がスムーズに行える。
【００２８】
また、請求項４に係る発明の表示装置では、請求項１乃至３のいずれかに記載の発明の効果に加えて、出力装置のめくり検出手段は、書換手段により単位情報の画像が表示された後、めくり検出手段により電子ペーパがめくられたことが検出された場合に、書換手段により表示手段に表示された単位情報について表示手段に表示されていないページの画像がある場合には、表示されていないページの画像を順序判定手段により判定された順序に従ってめくられた表示手段に順に表示することができる。したがって、単位情報の全ページ数が表示手段の数よりも多い場合であっても、ユーザが読み進んでゆく状態に合わせて表示手段に表示されている画像が切り替えられ、全てのページを表示させることができる。
【００２９】
また、請求項５に係る発明の表示装置では、請求項１乃至４のいずれかに記載の発明の効果に加えて、書換手段は、単位情報の最後のページの画像を表示した表示手段の次の順序の表示手段に目次ページを表示することができる。したがって、単位情報を閲覧し終わった後に、次に表示させて閲覧したい単位情報を簡単に選択することができる。また、閲覧している単位情報の表示を終了させ、他の単位情報を表示させたい場合にも、閲覧中の単位情報の最後のページまでめくれば、次のページには目次ページが表示されており、他の単位情報を選択することができるので、ユーザにとってわかりやすく、扱いやすい。
【００３０】
また、請求項６に係る発明の表示装置では、請求項１乃至５のいずれかに記載の発明の効果に加えて、書換手段は、順序判定手段により順序が最後あると判定された表示手段には単位情報を表示せずに目次ページを表示し、めくり検出手段により電子ペーパがめくられたことが検出された際に、順序判定手段により表示手段の順序を判定し、順序判定手段により順序が最後であると判定された表示手段に単位情報を表示せずに目次ページを表示することができる。したがって、閲覧している単位情報の表示を終了させ、他の単位情報を表示させたい場合にも、最後のページをめくれば、目次ページが表示されており、他の単位情報を選択することができるので、ユーザにとってわかりやすく、扱いやすい。
【００３１】
また、請求項７に係る発明の表示装置では、請求項１乃至６のいずれかに記載の発明の効果に加えて、出力装置の下位目次ページ作成手段は、単位情報に対して１階層下の単位情報についての識別情報及び案内情報を記載した画像である下位目次ページを作成し、下位判断手段は、単位情報が階層構造に分割された下位の単位情報で構成されているか否かの判断を行い、代表画像表示制御手段は、下位判断手段により単位情報がさらに下位の単位情報を有すると判断された場合には、表示手段に表示する代表画像を下位目次ページ作成手段により作成された下位目次ページとし、書換手段は、最前面表示手段判断手段により最前面に移動したと判断された最前面表示手段に下位目次ページが表示されている場合には、最前面表示手段より順序が後方の表示手段に下位の単位情報を示す代表画像を表示することができる。したがって、単位情報がさらに細かい下位の単位情報に分割されているので、単位情報におけるユーザが閲覧したいページにより近いページを簡単に表示させることが可能となる。また、請求項５に記載の発明の表示装置のように、単位情報の最後のページの画像を表示した表示手段の次の順序の表示手段に目次ページを表示する場合には、単位情報がさらに下位の単位情報で分類されていると、下位の単位情報の最後のページの画像を表示した表示手段の次の順序の表示手段に目次ページが表示されることとなるので、単位情報の全てのページの最後のページの次に目次ページが表示されるよりも、下位の単位情報の最後のページの次に目次ページが表示された方が、目次ページの出現率が高く、ユーザは他の単位情報を選びやすい。
【００３２】
また、請求項８に係る発明の表示装置では、請求項１乃至７のいずれかに記載の発明の効果に加えて、移動検知手段は、表示装置が動かされたか否かを検知することができる。そして、移動検知手段により表示装置が動かされていないと所定時間継続して判断された後、移動検知手段により表示装置が動かされたと検知された際に、順序判定手段が動作し、その後、代表画像表示制御手段が動作することができる。したがって、操作の開始を指示するスタートスイッチのような機構が必要でなく、置かれていた表示装置がユーザにより取り上げられた際にその状態での表示手段の順序が判定され、その順序に従って代表画像が表示されることとなる。
【００３３】
また、請求項９に記載の発明の表示装置では、請求項１乃至８のいずれかに記載の発明の効果に加えて、貫通孔に貫通部が貫通することにより電子ペーパが綴じ部材に綴じられるので、貫通孔に貫通部を通すだけで電子ペーパを綴じることができる。
【００３４】
また、請求項１０に記載の発明の表示装置では、請求項９に記載の発明の効果に加えて、電子ペーパの電圧値計測手段は、貫通孔に接触した綴じ部材の貫通部の電気抵抗体の電圧値を計測し、位置検出手段は、電圧計測手段により計測された電圧値に基づいて、貫通部における電子ペーパの位置を検出することにより綴じ部材内における電子ペーパの位置を検出することができる。したがって、確実に電子ペーパの綴じられている順序を検出することができ、よって、表示手段の順序も確実に判定することができる。
【００３５】
また、請求項１１に係る発明の出力装置では、位置情報取得手段は、電子ペーパにおいて検出された綴じ部材内における電子ペーパの位置を示す情報である位置情報と、電子ペーパに記憶されている他の電子ペーパと識別するための識別情報を電子ペーパから取得し、順序判定手段は、位置情報取得手段により取得された位置情報と識別情報とに基づいて、表示装置に綴じられている各電子ペーパの綴じ順序を算出し、綴じ順序に基づいて各電子ペーパに備えられている表示手段の順序を判定し、単位情報記憶手段は、複数ページ分の画像の情報のまとまりである複数の単位情報を順に記憶し、代表画像表示制御手段は、順序判定手段により判定された順序が連続する表示手段に対して、単位情報を示す代表画像を、単位情報が単位情報記憶手段に記憶されている順序に従って連続して表示することができる。そして、めくり検出手段は、電子ペーパがめくられたことを検出し、最前面表示手段判断手段は、めくり検出手段により電子ペーパがめくられたことが検出されたとき、代表画像が表示された連続する表示手段のうちいずれかの表示手段が最前面に移動されたか否かを判断し、書換手段は、最前面表示手段判断手段によりいずれかの表示手段が最前面に移動したと判断された場合に、最前面に移動したと判断された表示手段である最前面表示手段以外の表示手段に、単位情報記憶手段に記憶されている単位情報の画像のうち、最前面表示手段に表示されている代表画像に示されている単位情報の画像を表示することができる。したがって、ユーザは単位情報に関する代表画像を見てどの単位情報を表示させるかを判断することができ、表示させたい単位情報の代表画像が表示されている電子ペーパの表示手段を最前面に持ってくるだけで、その単位情報を選択して、その他の表示手段に単位情報を表示させることができる。よって、簡単な操作でユーザの望む情報を電子ペーパに表示させることができる。
【００３６】
また、請求項１２に係る発明の出力装置では、請求項１１に記載の発明の効果に加えて、目次ページ作成手段は、単位情報記憶手段に記憶されている単位情報を識別する識別情報と、単位情報の代表画像が表示されている表示手段を示す案内情報とを記載した画像である目次ページを作成し、目次ページ表示制御手段は、目次ページ作成手段により作成された目次ページを順序判定手段により先頭であると判定された表示手段である先頭表示手段に表示することができる。そして、代表画像表示制御手段は、先頭表示手段より順序が後方の表示手段に代表画像を表示することができる。したがって、ユーザは、目次ページに記載されている案内情報を参照して、閲覧したい情報の代表画像を表示した表示手段を開くことができるので、より簡単に閲覧したい情報を選択することができる。
【００３７】
また、請求項１３に係る発明の出力装置では、請求項１１又は１２に記載の発明の効果に加えて、代表画像表示制御手段は、代表画像として単位情報の１ページ目の画像を順に表示し、書換手段は、最前面表示手段以外の表示手段に単位情報の２ページ目以降の画像を表示することができる。したがって、ユーザは１ページ目の画像を見てその単位情報を閲覧したいか否かを判断することができる。さらに、続きの表示手段に続きのページの画像が表示されるので、ユーザはそのまま電子ペーパをめくって閲覧を続けることができ、閲覧がスムーズに行える。
【００３８】
また、請求項１４に係る発明の出力装置では、請求項１１乃至１３のいずれかに記載の発明の効果に加えて、めくり書換手段は、書換手段により単位情報の画像が表示された後、めくり検出手段により電子ペーパがめくられたことが検出された場合に、書換手段により表示手段に表示された単位情報について表示手段に表示されていないページの画像がある場合には、表示されていないページの画像を順序判定手段により判定された順序に従ってめくられた表示手段に順に表示することができる。したがって、単位情報の全ページ数が表示手段の数よりも多い場合であっても、ユーザが読み進んでゆく状態に合わせて表示手段に表示されている画像が切り替えられ、全てのページを表示させることができる。
【００３９】
また、請求項１５に係る発明の出力装置では、請求項１１乃至１４のいずれかに記載の発明の効果に加えて、書換手段は、単位情報の最後のページの画像を表示した表示手段の次の順序の表示手段に目次ページを表示することができる。したがって、単位情報を閲覧し終わった後に、次に表示させて閲覧したい単位情報を簡単に選択することができる。また、閲覧している単位情報の表示を終了させ、他の単位情報を表示させたい場合にも、閲覧中の単位情報の最後のページまでめくれば、次に目次ページが表示されており、他の単位情報を選択することができるので、ユーザにとってわかりやすく、扱いやすい。
【００４０】
また、請求項１６に係る発明の出力装置では、請求項１１乃至１５のいずれかに記載の発明の効果に加えて、書換手段は、順序判定手段により順序が最後であると判定された表示手段には単位情報を表示せずに目次ページを表示し、めくり検出手段により電子ペーパがめくられたことが検出された際に、順序判定手段により表示手段の順序を判定し、順序判定手段により順序が最後あると判定された表示手段に単位情報を表示せずに目次ページを表示することができる。したがって、閲覧している単位情報の表示を終了させ、他の単位情報を表示させたい場合にも、最後の表示手段を表示させれば、目次ページが表示されており、他の単位情報を選択することができるので、ユーザにとってわかりやすく、扱いやすい。
【００４１】
また、請求項１７に係る発明の出力装置では、請求項１１乃至１６のいずれかに記載の発明の効果に加えて、下位目次ページ作成手段は、単位情報に対して１階層下の単位情報についての識別情報及び案内情報を記載した画像である下位目次ページを作成し、下位判断手段は、単位情報が階層構造に分割された下位の単位情報で構成されているか否かの判断を行い、代表画像表示制御手段は、下位判断手段により単位情報がさらに下位の単位情報を有すると判断された場合には、表示手段に表示する代表画像を下位目次ページ作成手段により作成された下位目次ページとし、書換手段は、最前面表示手段判断手段により最前面に移動したと判断された最前面表示手段に下位目次ページが表示されている場合には、最前面表示手段より順序が後方の表示手段に下位の単位情報を示す代表画像を表示することができる。したがって、単位情報がさらに細かい下位の単位情報に分割されているので、単位情報におけるユーザが閲覧したいページにより近いページを簡単に表示させることが可能となる。また、請求項１５に記載の発明の出力装置のように、単位情報の最後のページの画像を表示した表示手段の次の順序の表示手段に目次ページを表示する場合には、単位情報がさらに下位の単位情報で分類されていると、下位の単位情報の最後のページの画像を表示した表示手段の次の順序の表示手段に目次ページが表示されることとなるので、単位情報の全てのページの最後のページの次に目次ページが表示されるよりも、下位の単位情報の最後のページの次に目次ページが表示された方が、目次ページの出現率が高く、ユーザは他の単位情報を選びやすい。
【００４２】
また、請求項１８に係る発明の出力装置では、請求項１１乃至１７のいずれかに記載の発明の効果に加えて、移動検知手段は、表示装置が動かされたか否かを検知することができる。そして、移動検知手段により表示装置が動かされていないと所定時間継続して判断された後、移動検知手段により表示装置が動かされたと検知された際に、順序判定手段が動作し、その後、代表画像表示制御手段が動作することができる。したがって、スタートスイッチのようなボタンが必要でなく、置かれていた表示装置がユーザにより取り上げられた際にその状態での表示手段の順序が判定され、その順序に従って代表画像が表示されることとなる。
【発明を実施するための最良の形態】
【００４３】
以下、本発明の実施の形態である表示装置１について図面を参照して説明する。表示装置１は、複数の電子ペーパを備えたバインダタイプである。まず、図１〜図７、図２８〜図３０を参照して、表示装置１の構成について説明する。図１は、表示装置１の外観を模式的に示した外観図である。図２は、表示装置１の位置検出手段である位置検出用リング２４の説明図である。図３は、表示装置１の電気的構成を示すブロック図である。図４は、マスタペーパ３のＲＡＭ３３のデータ構造を示す構成図である。図５は、スレーブペーパ４のＲＡＭ４３のデータ構造を示す構成図である。図６は、ページ順序テーブル記憶エリア３３１に記憶されたページ順序テーブルのデータ構造を示す構成図である。図７は、目次情報記憶エリア３３４のデータ構造を示す構成図である。図２８は、電源供給用リング２１の断面を示す模式図であり、図２９は、位置検出用リング２４の断面を示す模式図である。図３０は、電源供給用貫通孔１１に電源供給用リング２１が貫通されている状態を示す模式図である。
【００４４】
図１に示すように、表示装置１は、片面に表示部３６を備えた電子ペーパである略長方形のマスタペーパ３と、マスタペーパ３と同様の形状で表示部４６（図３参照）を備えたスレーブペーパ４を備えている。そして、マスタペーパ３及び各スレーブペーパ４は、４つの貫通孔１１〜１４を備え、それぞれの貫通孔を貫通する４つのリング２１〜２４からなる綴じ部材２により束ねて綴じられている。本実施形態では、スレーブペーパ４が９枚の場合を例にして説明する。以下、マスタペーパ３及びスレーブペーパ４を総称して電子ペーパ５と呼ぶこととする。なお、マスタペーパ３は出力装置として機能しており、マスタペーパ３及びスレーブペーパ４の表示部３６，４６に表示させる画像の制御が行う。
【００４５】
次に、図１、図２８、図２９及び図３０を参照して、電子ペーパ５の綴じ部材２について説明する。電子ペーパ５には、図１に示すように、電源供給用貫通孔１１，接地用貫通孔１２，通信用貫通孔１３，位置検出用貫通孔１４の４つの貫通孔が設けられている。そして、綴じ部材２は、電源供給用リング２１，接地用リング２２，通信用リング２３，位置検出用リング２４の４つのリングで構成されている。電源供給用貫通孔１１には電源供給用リング２１を挿入し、接地用貫通孔１２には接地用リング２２を挿入し、通信用貫通孔１３には通信用リング２３を挿入し、位置検出用貫通孔１４には位置検出用リング２４を挿入して、電子ペーパ５が綴じられる。また、各リング２１〜２４はマスタペーパ３に固定されている。そして、スレーブペーパ４の各貫通孔１１〜１４の周囲には導電性のブラシが貫通孔の中心に向かって設置されており、ブラシと各リングが確実に接触するようになっている。図３０に示すように、電源供給用貫通孔１１内の長手方向の側面にはそれぞれブラシ１１０、１１１が設けられており、電源供給用貫通孔１１内を貫通した電源供給用リング２１に接触している。なお、ブラシ１１０，１１１は、スレーブペーパ４に設けられスレーブペーパ４に電源を供給する電源回路（図示外）に接続している。
【００４６】
電源供給用リング２１は、マスタペーパ３に備えられているバッテリー５４（図３参照）に接続され、スレーブペーパ４へ電源を供給する。また、接地用リング２２は、マスタペーパ３に備えられている０Ｖのアース５５（図３参照）に接続され、スレーブペーパ４からの接地に利用される。通信用リング２３は、マスタペーパ３に備えられている内部通信部３５（図３参照）及びスレーブペーパ４に備えられている内部通信部４５（図３参照）を接続し、電子ペーパ５間で情報のやり取りを行うのに使用される。位置検出用リング２４は、電子ペーパ５がどのような順で綴じ部材２に綴じられているかを検出するのに利用される。
【００４７】
ここで、図２８を参照して、電源供給用リング２１について説明する。図２８は、電源供給用リング２１の断面を示す模式図である。図２８に示すように、電源供給用リング２１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図２８に示すように、電源供給用リング２１の開閉部１１９の図２８における右側の端部を端部１１９１、左側の端部を端部１１９２とする。
【００４８】
電源供給用リング２１の内部は絶縁体１１３であり、その絶縁体１１３は表面が導体１１４で覆われている。そして、図２８に示すように、電源供給用リング２１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００４９】
なお、マスタペーパ３の電源供給用貫通孔１１内のマスタペーパ３の端側には、１つの凹部が設けられている。そして、その凹部には、バッテリー５４（図３参照）に接続された導線の一端が接続されている。マスタペーパ３の凹部に電源供給用リング２１の凸部１１２が嵌合され、マスタペーパ３に電源供給用リング２１が固定される。そして、導線１１６にはバッテリー５４から５Ｖの電圧が印加され、導線１１６の接続点１１６２から導体１１４に電流が流れる。
【００５０】
また、スレーブペーパ４の電源供給用貫通孔１１の内側には、導電性のブラシ（図示外）が設けられており、導体１１４と接触している。そして、このブラシから取得された電源がスレーブペーパ４を駆動させるための電源とされる。
【００５１】
次に、図２及び図２９を参照して、位置検出用リング２４及び位置検出用リング２４による電子ペーパ５の綴じ順序の検出方法について説明する。図２９に示すように、位置検出用リング２４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図２９に示す、位置検出用リング２４の開閉部１４９の図２９における紙面右側の端部を端部１４９１、左側の端部を端部１４９２とする。
【００５２】
位置検出用リング２４の内部は絶縁体１４３であり、その絶縁体１４３は表面がカーボン等の電気抵抗体１４４で覆われている。そして、図２９に示すように、位置検出用リング２４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体同士が接触することはない。
【００５３】
さらに、開閉部１４９の端部１４９１には、位置検出用リング２４の開閉を検出するスイッチ１４８が設けられている。このスイッチ１４８は、感圧センサであり、位置検出用リング２４が綴じられているとＯＮを検出し、開放されているとＯＦＦの状態となる。そして、このスイッチ１４８は、位置検出用リング２４の絶縁体１４３の内部に埋め込まれた導線１４８１の一端に接続され、導線１４８１の他端は凸部１４２から外部に接続可能となっている。
【００５４】
なお、マスタペーパ３の位置検出用貫通孔１４の内部には、２つの凹部が設けられており、マスタぺーパ３が位置検出用リング２４に固定される。この凹部は、マスタペーパ３の短手方向に平行に向かい合う位置に設けられている。そして、マスタペーパ３の内側の凹部には、バッテリー５４（図３参照）に接続された導線の一端及び開閉検出部３９（図３参照）に接続された導線の一端が接続されており、外側の凹部には、アース５５（図３参照）に接続された導線の一端が接続されている。
【００５５】
そして、位置検出用リング２４の凸部１４１，１４２にマスタペーパ３の凹部が嵌合され、位置検出用リング２４はマスタペーパ３に固定されている。したがって、導線１４６にはバッテリー５４から５Ｖの電圧が印加され、導線１４６の接続点１４６２から電気抵抗体１４４に電流が流れ、導線１４７の接続点１４７２から導線１４７へ、そしてアース５５へ電流が流れる。ここで、端部１４９１，１４９２は電気抵抗体１４４で覆われていないので、開閉部１４９が綴じられている状態で端部１４９１，１４９２がショートすることがない。バッテリー５４から供給された電力は、電気抵抗体１４４を流れる間に、電気抵抗体１４４の抵抗により電圧は下がり、位置検出用リング２４の端部１４９１から端部１４９２へ向かって、電圧が下がっていく。
【００５６】
また、スレーブペーパ４には、電圧計である電圧計測部４８（図３参照）が設けられている。そして、位置検出用貫通孔１４に設けられたブラシが電圧計測部４８の端子として機能し、位置検出用貫通孔１４に挿入されている位置検出用リング２４に流れている電流の電圧を計測する。そして、電圧計測部４８で計測された電圧値は、位置検出部４７において、０〜２５５の値にＡ／Ｄ変換される。位置検出用リング２４では、位置検出用リング２４の端部１４９１から端部１４９２へ向かって電圧が下がるので、スレーブペーパ４の位置検出用リング２４内での配置位置により、電圧計測部４８で計測される電圧は異なった値となる。そこで、位置検出用リング２４の中でそのスレーブペーパ４が０〜２５５のどの位置にあるかを検出し、電子ペーパ５の綴じ順序を検出することができる。なお、以下、Ａ／Ｄ変換した値をＡ／Ｄ変換値と呼ぶこととする。後述するペーパ順序管理テーブル（図１１参照）においては、このＡ／Ｄ変換値が位置検出用リング２４内での電子ペーパ５の位置を示す「環内位置」の値として使用される。
【００５７】
図２に示すように、本実施の形態では、端部１４９１にスレーブペーパ４が存在する場合には、スレーブペーパ４の電圧計測部４８において計測された電圧値が位置検出部４７においてＡ／Ｄ変換値「２５５」と検出され、図２における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図２における端部１４９２の左隣にスレーブペーパ４が存在する場合には、Ａ／Ｄ変換値は「１」と検出される。そして、マスタペーパ３の図２における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。なお、マスターパ３は、位置検出用リング２４において、Ａ／Ｄ変換値が「１２８」に対応する位置に固定されている。
【００５８】
次に、図３を参照して、表示装置１の電気的構成について説明する。図３に示すように、表示装置１は、マスタペーパ３とスレーブペーパ４とから構成されている。なお、スレーブペーパ４は複数接続可能であるが、電気的構成はどのスレーブペーパ４でも同様であるため、図３においては１枚のスレーブペーパ４のみを記載している。
【００５９】
マスタペーパ３は、マスタペーパ３の全体を制御するＣＰＵ３１と、プログラム等を記憶したＲＯＭ３２と、データを一時的に記憶するＲＡＭ３３と、マスタペーパ３の製造番号を記憶したＥＥＰＲＯＭ３４とを備えている。そして、ＲＯＭ３２とＲＡＭ３３とＥＥＰＲＯＭ３４とはバスを介してＣＰＵ３１に接続されている。ＥＥＰＲＯＭ３４に記憶された製造番号は、それぞれのマスタペーパ３に固有の番号であり、他のマスタペーパ３から一意に識別できるマスタペーパ３の識別情報である。
【００６０】
また、表示用データを閲覧可能に表示するための表示部３６と、表示用データ又は表示用データの所在情報を記憶するメモリカード３８を読み込むためのメモリカードインタフェイス（Ｉ／Ｆ）３７と、通信用リング２３に接続してスレーブペーパ４との間でデータ通信を行うための通信回路を備えた内部通信部３５と、時間を計測するための計時装置５１と、当該表示装置１の動き（動かされたか）を検出する加速度センサ５０も同様にバスを介してＣＰＵ３１に接続されている。
【００６１】
さらに、マスタペーパ３には、マスタペーパ３及び綴じ部材２に綴じられているスレーブペーパ４に電源を供給するバッテリー５４、表示装置１を安定して動作させるためのアース５５が設けられている。バッテリー５４は、スレーブペーパ４への電源供給のために、電源供給用リング２１に接続しており、アース５５は、スレーブペーパ４の動作安定のために接地用リング２２に接続している。さらに、位置検出用リング２４へ電流を流すために、バッテリー５４及びアース５５は位置検出用リング２４に接続している。さらに、マスタペーパ３には開閉検出部３９が設けられており、位置検出用リング２４の凸部１４２に接続し、位置検出用リング２４のスイッチ１４８に接続して、位置検出用リング２４の開閉の検出が行われる（図２９参照）。
【００６２】
一方、スレーブペーパ４は、スレーブペーパ４の全体を制御するＣＰＵ４１と、プログラム等を記憶したＲＯＭ４２と、データを一時的に記憶するＲＡＭ４３と、スレーブペーパ４の製造番号を記憶したＥＥＰＲＯＭ４４とを備えている。そして、ＲＯＭ４２とＲＡＭ４３とＥＥＰＲＯＭ４４とはバスを介してＣＰＵ４１に接続されている。ＥＥＰＲＯＭ４０４に記憶された製造番号は、それぞれのスレーブペーパ４に固有の番号であり、他のスレーブペーパ４から一意に識別できるスレーブペーパ４の識別情報である。また、表示用データを閲覧可能に表示するための表示部４６も、ＣＰＵ４１に接続されている。
【００６３】
そして、通信用リング２３に接続してマスタペーパ３との間でデータ通信を行うための通信回路を備えた内部通信部４５も同様にバスを介してＣＰＵ４０１に接続されている。さらに、位置検出用リング２４の電気抵抗体１４４（図２９参照）に接続して、電気抵抗体１４４の電圧を計測する電圧計測部４８が設けられている。そして、スレーブペーパ４がどの位置に配置されているかを検出するために電圧計測部４８に接続し、計測された電圧をＡ／Ｄ変換する位置検出部４７もＣＰＵ４１にバスを介して接続されている。なお、位置検出部４７が本発明の「位置検出手段」に相当する。
【００６４】
次に、図４を参照して、マスタペーパ３のＲＡＭ３３について説明する。図４に示すように、ＲＡＭ３３には、現在表示装置１に綴じられている電子ペーパ５の数を記憶する接続ペーパ数記憶エリア３３０，どのペーパに何を表示させるのか及び電子ペーパ５の順序を示すページ順序テーブル（図６参照）を記憶するページ順序テーブル記憶エリア３３１，めくり数算出処理で使用するために、過去のページ順序テーブルを記憶する第一旧ページ順序テーブル記憶エリア３３２，第二旧ページ順序テーブル記憶エリア３３３、目次ページ（図８，図９，図１０参照）を作成するための情報を記憶する目次情報記憶エリア３３４，目次ページに表示される項目（コンテンツ、章）の最大数を記憶する最大項目番号記憶エリア３３５，加速度センサ５０から取得した値を記憶する加速度センサ値記憶エリア３３６，経過時間を計測する際の計測開始時刻を記憶する計測開始時刻記憶エリア３３７，表示部３６に表示するコンテンツを示す情報を記憶する表示コンテンツ記憶エリア３３８，表示部３６に表示するコンテンツが章で構成されている際に、表示する章を示す情報を記憶する表示章記憶エリア３３９，表示部３６に表示する章を選択する際のサンプルページ（１ページ目の情報）の画像を展開するサンプルページ展開領域３４０，表示部３６に表示する章の各ページの画像を展開する表示画像展開領域３４１，表示部３６に表示する章の総ページ数を記憶する総ページ数記憶エリア３４２、めくられた電子ペーパ５の数を記憶するめくり数記憶エリア３４３等が設けられている。尚、ＲＡＭ３３には、図示外のその他の記憶エリアも設けられている。
【００６５】
次に、図５を参照して、スレーブペーパ４のＲＡＭ４３について説明する。図６に示すように、ＲＡＭ４３には、位置検出部４７の検出結果である位置情報を記憶する接続位置記憶エリア４３１，綴じられている電子ペーパの中で当該スレーブペーパ４が何番目かを示すペーパページ番号を記憶するペーパページ番号記憶エリア４３２，表示部４６に表示する表示用データを格納するためのページデータ展開領域４３３，図示外のその他の記憶エリアが設けられている。
【００６６】
次に、図６を参照して、ページ順序テーブル記憶エリア３３１に記憶されたページ順序テーブルについて説明する。ページ順序テーブルは、綴じられている電子ペーパの順序を示すペーパページ番号３３１１，各電子ペーパの製造番号であるペーパ番号３３１２，表示されている情報の内容を示す表示時中文書内容３３１３，その電子ペーパの位置情報を０〜２５５の値で示す環内位置３３１４の項目のデータが各電子ペーパについて格納されている。ページ捲り（電子ペーパの位置の変更）がなされたときにこのページ順序テーブルを更新することで、適切な表示用データを各電子ペーパの表示部に表示させることができる。
【００６７】
次に、図７を参照して、目次情報記憶エリア３３４について説明する。目次情報記憶エリア３３４には、コンテンツ目次ページ５０１，５０２（図８，図９）、章目次ページ５０３（図１０参照）に表示する名称（コンテンツの名称、又は、章の名称）３３４１，何枚目の目次ページに表示されるかを示す項目番号３３４２，何枚電子ペーパ３，４をめくればサンプルページ（図１１参照）が表示されるのかを示すめくり数３３４３の項目のデータが識別情報の数だけ記憶されている。なお、図７では、コンテンツについての目次情報のみを例示しているが、各コンテンツについて、章目次ページ作成のための同様の構造の目次情報も目次情報記憶エリア３３４に記憶されている。
【００６８】
図７に示す例は、図８，図９に示すコンテンツ目次ページ５０１，５０２を表示するための目次情報の例である。図７に示すように、名称３３４１が「株式投資の基礎」の項目番号３３４２は「１」、めくり数３３４３は「１」であり、名称３３４１が「街のケーキ屋さん」の項目番号３３４２は「１」、めくり数３３４３は「２」であり、名称３３４１が「アントワネットの生涯」の項目番号３３４２は「１」、めくり数３３４３は「３」であり、名称３３４１が「おいしい紅茶の淹れ方」の項目番号３３４２は「１」、めくり数３３４３は「４」であり、名称３３４１が「ツボ押しで健康！」の項目番号３３４２は「１」、めくり数３３４３は「５」であり、名称３３４１が「空飛ぶきりんの話」の項目番号３３４２は「１」、めくり数３３４３は「６」であり、名称３３４１が「織田信長」の項目番号３３４２は「１」、めくり数３３４３は「７」であり、名称３３４１が「せんべいのルーツ」の項目番号３３４２は「１」、めくり数３３４３は「８」であり、名称３３４１が「珈琲物語」の項目番号３３４２は「２」、めくり数３３４３は「１」であり、名称３３４１が「マナーブック」の項目番号３３４２は「２」、めくり数３３４３は「２」である。
【００６９】
次に、図８乃至図１１を参照して、表示部３６に表示される目次ページ、サンプルページについて説明し、さらに図１２乃至図２０を参照して、表示装置１における電子ペーパ５の表示部３６の表示内容の更新について説明する。
【００７０】
図８は、表示するコンテンツを選択させる際に表示される１枚目のコンテンツ目次ページ５０１を示す図であり、図９は、図８に示した１枚目のコンテンツ目次ページ５０１の次に表示される２枚目のコンテンツ目次ページ５０２を示す図であり、図１０は、章を選択させる際に表示される章目次ページ５０３を示す図であり、図１１は、章を選択させる際に表示されるサンプルページ５０４を示す図である。
【００７１】
図１２は、１番目の電子ペーパ５に１枚目のコンテンツ目次ページ５０１が表示されている状態の模式図６００であり、図１３は、模式図６００の状態から電子ペーパ５がめくられて、１番目の電子ペーパ５に２枚目のコンテンツ目次ページ５０２が表示されている状態の模式図６１０であり、図１４は、模式図６００の状態から電子ペーパ５がめくられて、１番目の電子ペーパ５に４つ目のコンテンツのサンプルページが表示されている状態の模式図６２０である。そして、図１５は、４つ目のコンテンツが表示コンテンツとして選択されて、４つ目のコンテンツの章目次ページ５０３が表示されている状態の模式図６３０であり、図１６は、４つ目のコンテンツの第１章が表示章として選択された状態の模式図６４０であり、図１７は、４つ目のコンテンツの第１章が表示章として選択され、第１章の継続するページが表示された状態の模式図６５０である。そして、図１８は、４つ目のコンテンツの第１章が読み進められて、２ページ目が最前面に置かれている状態の模式図６６０であり、図１９は、４つ目のコンテンツの第１章が読み進められて、５ページ目が最前面に置かれている状態の模式図６７０であり、図２０は、４つ目のコンテンツの第１章の最後の１２ページ目がめくられ、読み終えられた状態の模式図６８０である。なお「最前面」とは、綴じられた電子ペーパ５の一番上という意味である。
【００７２】
本実施の形態の表示装置では、まず、ユーザに表示させるコンテンツを選択させる。そして、コンテンツが選択されたら、コンテンツを構成する章を選択させる。このコンテンツの選択においてコンテンツ目次ページ５０１、５０２が用いられ、章の選択において、章目次ページ５０３が使用される。コンテンツ目次ページを表示した表示部３６を備えた電子ペーパ５より後ろの（順序が後の）電子ペーパ５にコンテンツ目次ページに表示されているコンテンツについての章目次ページが表示される。
【００７３】
ここでは、１つ目のコンテンツの名称が「株式投資の基礎」、２つ目のコンテンツの名称が「街のケーキ屋さん」、３つ目のコンテンツの名称が「アントワネットの生涯」、４つ目のコンテンツの名称が「おいしい紅茶の淹れ方」、５つ目のコンテンツの名称が「ツボ押しで健康！」、６つ目のコンテンツの名称が「空飛ぶきりんの話」、７つ目のコンテンツの名称が「織田信長」、８つ目のコンテンツの名称が「せんべいのルーツ」、９つ目のコンテンツの名称が「珈琲物語」、１０個目のコンテンツの名称が「マナーブック」というコンテンツ名の１０個の文書がメモリカード３８に記憶されており、その中から「おいしい紅茶の淹れ方」という文書が選択された場合を例に挙げて説明する。
【００７４】
図８に示すように、１枚目のコンテンツ目次ページ５０１には、「閲覧するコンテンツをお選び下さい。コンテンツ名の後ろに記載されている数だけペーパをめくって下さい。」のメッセージ及び、［コンテンツ名］とそれに対応した［めくり数］が記載されている。ここには、目次情報記憶エリア３３４において項目番号３３４２が「１」とされている［コンテンツ名］及び［めくり数］が記載される。
【００７５】
図８に示すように、コンテンツ名が「株式投資の基礎」、「街のケーキ屋さん」、「アントワネットの生涯」、「おいしい紅茶の淹れ方」、「ツボ押しで健康！」、「空飛ぶきりんの話」、「織田信長」、「せんべいのルーツ」が表示されている。そして、それぞれのコンテンツ名に対応してめくり数３３４３に記憶されている値が表示されている。さらに、本例では項目番号３３４２が「２」のコンテンツも存在するので、最大のめくり数である「９」には「その他」という文字が割り当てられている。
【００７６】
このめくり数は、何枚の電子ペーパ５をめくるとそのコンテンツの章目次ページが表示されているのかを示すものである。コンテンツ目次ページの次の順の電子ペーパ５の表示部３６にはめくり数「１」のコンテンツの章目次ページが表示され、その次の順の電子ペーパ５の表示部３６には、めくり数「２」のコンテンツの章目次ページが表示され、順に章目次ページが表示されている。
【００７７】
本実施の形態では、マスタペーパ３が１枚、スレーブペーパ４が９枚の合計１０枚の電子ペーパ５が綴じられているので、コンテンツ目次ページ５０１が表示されている表示部を備えた電子ペーパ５以外には９枚の電子ペーパ５が存在する。上記例のように、電子ペーパ５の総数からコンテンツ目次ページが表示された電子ペーパ５を除いた数（１０−１＝９）よりも、コンテンツ数（１０）の方が多い場合には、２枚目のコンテンツ目次ページ５０２が作成される。この場合には、最後の電子ペーパ５の表示部に２枚目のコンテンツ目次ページ５０２が表示される。この場合の１枚目のコンテンツ目次ページ５０１には、最大のめくり数に「その他」と表示され、他にも選択できるコンテンツがあることが示されている。
【００７８】
この状態の表示装置１の電子ペーパ５の表示状態が模式図６００（図１２参照）である。図１２に示す模式図６００では、１０枚の電子ペーパ５が積み重なっている状態を模式化しており、それぞれの電子ペーパ５には３つの情報が記載されている。１つ目（左）は、ページ順序テーブルのペーパページ番号である。このペーパページ番号は、マスタペーパ３のＣＰＵ３１において、ページ順序テーブルが作成される際に割り当てられる。具体的には、位置検出用リング２４を用いて０〜２５５の環内位置に問い合わせ処理が行われる。スレーブペーパ４が存在する位置では、製造番号が応答されるので、環内位置と製造番号とを対応させて、ページ順序テーブルに記憶させる。そして、全ての環内位置への問い合わせが終了したら、ページ順序テーブルを環内位置の値でソートし、環内位置の値の小さい順にペーパページ番号が「１」から順に割り当てられる。２つ目（中央）は、電子ペーパ５の製造番号である。３つ目（右）は、電子ペーパ５の表示部３６に表示されている情報の内容である。
【００７９】
図１２に示すように、１番目の電子ペーパ５に１枚目のコンテンツ目次ページ５０１が表示されると、２番目〜９番目の電子ペーパ５にはコンテンツ目次ページ５０１に記載されているコンテンツ名の章目次ページが表示される。そして、２枚目のコンテンツ目次ページ５０２が１０番目の電子ペーパ５に表示される。
【００８０】
次に、図１３を参照して、図１２に示す模式図６００の状態から、９枚の電子ペーパ５がめくられ、２枚目のコンテンツ目次ページ５０２（図９参照）が開かれている（最前面に置かれている）状態について説明する。図１３の模式図６１０に示すように、２枚目のコンテンツ目次ページ５０２が開かれると、ページ順序テーブルが再作成されて、コンテンツ目次ページ５０２が表示されている識別情報「Ｓ９８４５２」である電子ペーパ５の順序は１０番目から１番目に変更される。同様に、１番目であった識別番号「Ｓ００２３４」である電子ペーパ５は２番目に変更され、１０枚全ての電子ペーパ５の順序が変更される。
【００８１】
そして、２番目〜９番目の電子ペーパ５にはコンテンツ目次ページ５０２に記載されているコンテンツ名のコンテンツの章目次ページが表示され、最後の１０番目の電子ペーパ５には、１枚目のコンテンツ目次ページ５０１が表示される。本例では、図１０に示すように、２枚目のコンテンツ目次ページ５０２には項目番号３３４２が「２」である識コンテンツ名「珈琲物語」、「マナーブック」の２つのコンテンツ名しか記載されていないので、２番目と３番目の電子ペーパ５の表示部３６に９つ目のコンテンツ（珈琲物語）の章目次ページ及び１０個目のコンテンツ（マナーブック）の章目次ページが表示され、４番目〜９番目の電子ペーパ５は白紙とされている。
【００８２】
次に、図１４乃至図２０を参照して、図１２に示す模式図６００の状態から、電子ペーパ５が４枚めくられて４つ目のコンテンツの章目次ページ５０３（図１０参照）が開かれて、第一章の情報が閲覧された際のページの更新について説明する。図１４の模式図６２０に示すように、４つ目のコンテンツの章目次ページ５０３が開かれると、ページ順序テーブルが再作成されて、４つ目のコンテンツの章目次ページ５０３が表示されている識別情報「Ｓ１９５０９」である電子ペーパ５の順序が５番目から１番目に変更される。同様に、６番目であった識別番号「Ｓ２１１２１」である電子ペーパ５は２番目に変更され、１０枚全ての電子ペーパ５の順序が変更される。
【００８３】
そして、図１５の模式図６３０のように、２番目〜９番目の電子ペーパ５に章目次ページ５０３に記載されている章の１ページ目の画像がサンプルページとして表示される。本例では、４つ目のコンテンツ（紅茶のおいしい淹れ方）は第１章〜第６章までの６つの章で構成されているとする。そこで、２番目の電子ペーパ５に第１章の１ページ目の画像が表示され、３番目の電子ペーパ５に第２章の１ページ目の画像が表示され、４番目の電子ペーパ５に第３章の１ページ目の画像が表示され、５番目の電子ペーパ５に第４章の１ページ目の画像が表示され、６番目の電子ペーパ５に第５章の１ページ目の画像が表示され、７番目の電子ペーパ５に第６章の１ページ目の画像が表示される。そして、８番目及び９番目の電子ペーパ５には割り当てる章が存在しないので白紙が表示される。そして、最後の１０番目の電子ペーパ５には、「章選択を終了し、閲覧するコンテンツを選択します。」等の章選択を終了して、コンテンツ選択のための表示に切り替える旨のメッセージが表示される。
【００８４】
ここで、２番目の電子ペーパ５に第１章の１ページ目の画像が表示されている状態が、図１１に示すサンプルページ５０４である。図１１に示すように、サンプルページ５０４には、実際の１ページ目の情報が記載されており、どの章を閲覧するかをユーザが選択する手助けとなっている。
【００８５】
そして、図１５の模式図６３０の状態から１枚の電子ペーパ５がめくられ、第１章の１ページ目の画像であるサンプルページ５０４が開かれると、第１章が選択されたと判断され、図１６に示す模式図６４０のように、ページ順序テーブルが再作成されて、サンプルページ５０４が表示されている識別情報「Ｓ２１１２１」である電子ペーパ５の順序が２番目から１番目に変更される。同様に、３番目であった識別番号「Ｓ４７６１３」である電子ペーパ５は２番目に変更され、１０枚全ての電子ペーパ５の順序が変更される。
【００８６】
そして、図１７に示す模式図６５０のように、２番目〜１０番目の電子ペーパ５には、第１章の続きのページの画像が表示される。具体的には、２番目の電子ペーパ５には２ページ目の画像が表示され、３番目の電子ペーパ５には３ページ目の画像が表示され、４番目の電子ペーパ５には４ページ目の画像が表示され、５番目の電子ペーパ５には５ページ目の画像が表示され、６番目の電子ペーパ５には６ページ目の画像が表示され、７番目の電子ペーパ５には７ページ目の画像が表示され、８番目の電子ペーパ５には８ページ目の画像が表示され、９番目の電子ペーパ５には９ページ目の画像が表示され、１０番目の電子ペーパ５には１０ページ目の画像が表示されている。この模式図６５０の状態で、ユーザは情報の閲覧を開始することができる。なお、本第１章は１２ページ分の画像で構成されているものとする。
【００８７】
そして、図１８に示す模式図６６０のように、１番目の電子ペーパ５がめくられ、２ページ目の画像が表示されている電子ペーパ５（識別情報「Ｓ４７６１３」）が開かれると、ページ順序テーブルが再作成されて、識別情報「Ｓ４７６１３」である電子ペーパ５の順序が２番目から１番目に変更される。同様に、３番目であった識別番号「Ｓ４０１１２」である電子ペーパ５は２番目に変更され、１０枚全ての電子ペーパ５の順序が変更される。そして、めくられた電子ペーパ５である識別情報「Ｓ２１１２１」の電子ペーパ５には続きのページ（１１ページ目）の画像が表示される。このように、１番目の電子ペーパ５がめくられると、めくられた電子ペーパ５には続きのページが表示される。
【００８８】
そして、さらに電子ペーパ５がめくられ５ページ目の画像が表示されている電子ペーパ５が開かれると、図１９に示す模式図６７０のようになる。本第１章は、１２ページ分の画像しかないので、８番目の電子ペーパ５に１２ページ目の画像が表示された後は、表示する画像が存在しないので、９番目及び１０番目の電子ペーパ５には白紙が記憶されている。
【００８９】
そして、さらに電子ペーパ５がめくられて、最後のページである１２ページ目の画像を表示した電子ペーパ５（識別情報「Ｓ４７６１３」）がめくられると、白紙の電子ペーパ５が開かれることとなる。すると、開かれた白紙が表示されている電子ペーパ５（識別情報「Ｓ４０１１２」）の順序が９番目から１番目に変更される。同様に、１０番目であった識別番号「Ｓ００１３４」である電子ペーパ５は２番目に変更され、１０枚全ての電子ペーパ５の順序が変更される。また、白紙の電子ペーパ５は開かれたことにより、本章の閲覧は終了したと判断され、図１５に示す状態となり、章目次ページ５０３（図１０参照）が１番目の電子ペーパ５に表示され、ユーザは次の章を選択して、閲覧を続けたり、章選択を終了させ、コンテンツ選択に移行したりすることができる。
【００９０】
以上のようにして、ユーザは閲覧したいコンテンツを、電子ペーパ５をめくることにより選択することができる。そして、閲覧するコンテンツを選択するだけでなく、章まで選択することができるので、途中まで閲覧したコンテンツの続きから閲覧する場合や、特定の章のみ閲覧したい場合に、目的とするページ容易に到達することができる。
【００９１】
次に、図２１乃至図２７のフローチャートを参照して、上述した電子ペーパ５の表示制御について詳述する。図２１は、マスタペーパ３のＣＰＵ３１で実施されるメイン処理のフローチャートであり、図２２は、メイン処理で実施されるコンテンツ選択処理のフローチャートであり、図２３は、メイン処理で実施される章選択処理のフローチャートであり、図２４は、章選択処理で実施される第一表示処理のフローチャートであり、図２５は、章選択処理で実施される第二表示処理のフローチャートであり、図２６は、メイン処理で実施される表示内容更新処理のフローチャートである。図２７は、メイン処理、コンテンツ選択処理、章選択処理、表示内容変換処理で実施されるめくり数算出処理のフローチャートである。
【００９２】
図２１に示すメイン処理は、表示装置１の電源が投入されると開始され、継続して繰り返される。まず、加速度センサ５０の出力値が０．５秒ごとに取得され、加速度センサ５０の出力値が変化したか否かの判断が行われる（Ｓ１）。この判断は、表示装置１が動かされたか否かの判断をするための判断である。本メイン処理は、表示装置１がユーザによって手に持たれること等により動かされた場合にＳ２以降の処理が行われ、動かされない場合には、Ｓ１の処理が繰り返し実施されて、動かされるのを待機する。
【００９３】
ここでは、ＲＡＭ３３の加速度センサ値記憶エリア３３６が用いられる。この加速度センサ値記憶エリア３３６には、前回測定値及び今回測定値を記憶する記憶エリアが設けられている。なお、前回測定値及び今回測定値の初期値「０」とされている。具体的にＳ１では、今回測定値の値が前回測定値に記憶され、加速度センサ５０の出力値が取得され、今回測定値に記憶される。そして、前回測定値と今回測定値の値が比較され、異なる場合には出力値が変化し、表示装置１が動かされたと判断される（Ｓ１：ＹＥＳ）。
【００９４】
また、両値が同じ場合には出力値は変化しておらず、表示装置１は動かされていないと判断される（Ｓ１：ＮＯ）。尚、Ｓ１処理での加速度センサ５０の測定値が前回と比較して異なると判断される閾値は、測定値から換算した加速度の差が例えば５Ｇ以上である場合とする。その理由は、ユーザが表示装置１を鞄などに入れており、微妙に加速度が変化している場合と、ユーザが表示装置１を閲覧開始の目的で手で持ち上げ、加速度の値が大きく変化する場合とを区別するためである。
【００９５】
そして、異なる場合には出力値が変化し、表示装置１が動かされた場合には（Ｓ１：ＹＥＳ）、ページ順序テーブルが作成されて、ページ順序テーブル記憶エリア３３１に記憶される（Ｓ２）。具体的には、位置検出用リング２４を用いて０〜２５５の環内位置に問い合わせ処理が行われる。スレーブペーパ４が存在する位置からは製造番号が応答されるので、環内位置と製造番号とが対応されて、ページ順序テーブルに記憶される。そして、全ての環内位置への問い合わせが終了したら、ページ順序テーブルを環内位置の値でソートされ、環内位置の値の小さい順にペーパページ番号が「１」から順に割り当てられる。
【００９６】
そして、１番目の電子ペーパ５の表示部３６に「前回表示したコンテンツを表示させますか？」等の前回閲覧したコンテンツを再び表示するか否かの判断を促すメッセージが表示される（Ｓ３）。なお、ここではメッセージの他に前回閲覧したコンテンツを再び表示させることを選択させるための操作の指示が表示される。本実施の形態では、電子ペーパ５が１枚めくられることが前回閲覧したコンテンツを選択することの指示、それ以外の枚数がめくられることがそれ以外のコンテンツを表示させることの指示であるとする。そこで、例えば、「前回表示したコンテンツを表示させるにはペーパを１枚めくって下さい。それ以外のコンテンツを表示させる場合はペーパを２枚以上めくって下さい。」等のメッセージが表示される。
【００９７】
そして、現在も表示装置１がユーザによって閲覧されているかどうかを判断するための時間を計測するために、計時装置５１から現在の時刻が取得されて計測開始時刻記憶エリア３３７に記憶される（Ｓ４）。そして、加速度センサ５０の出力値が変化したか否かの判断が行われる（Ｓ５）。表示装置１がユーザによって閲覧されている間は手に持たれており、表示装置１が揺れるので、加速度センサ５０の出力値が変化する。逆に、ユーザが表示装置１の閲覧をやめて机の上などに置いた場合は、表示装置１は静止しているので加速度センサ５０の出力値は変化しない。そこで、加速度センサ５０の出力値が変化したか否かの判断が行われている。なお、ここでの加速度センサ５０の測定値が前回と比較して変化したと判断される閾値は、測定値から換算した加速度の差が１Ｇ以上である場合とする。微妙な手の揺れを感知するためにＳ１における閾値よりも小さく設定されている。
【００９８】
加速度センサ５０の出力値が変化していれば（Ｓ５：ＹＥＳ）、電子ペーパ５のめくられた枚数を算出するめくり数算出処理が行われる（Ｓ７、図２７参照）。一方、加速度センサ５０の出力値が変化していなければ（Ｓ５：ＮＯ）、Ｓ５へ進み、Ｓ４の時点から１０分が経過したか否かの判断が行われ（Ｓ６）、１０分経過していなければ（Ｓ６：ＮＯ）、Ｓ５へ戻り、再び加速度センサ５０の出力値の変化の判断が行われる（Ｓ５）。そして、Ｓ５，Ｓ６の処理が繰り返し行われ、１０分が経過したら、ユーザが表示装置１を置いてしまっている、すなわち、閲覧する気がないと判断され（Ｓ６：ＹＥＳ）、Ｓ１８へ進む。
【００９９】
ここで、図２７のフローチャートを参照して、めくり数算出処理（Ｓ７）について説明する。めくり数算出処理では、まず、計時装置５１から現在の時刻が取得されて計測開始時刻記憶エリア３３７に記憶される（Ｓ１２１）。そして、ページ順序テーブル記憶エリア３３１に記憶されている現在のページ順序テーブルが、第一旧ページ順序テーブルとして第一旧ページ順序テーブル記憶エリア３３２に記憶される（Ｓ１２２）。その後、１秒間待機される（Ｓ１２３）。
【０１００】
そして、再度、メイン処理のＳ２のページ順序テーブルの作成処理と同様に、新たに位置検出用リング２４を用いて行われた環内位置の問い合わせ処理が行われて、ページ順序テーブルが作成され、ページ順序テーブル記憶エリア３３１に記憶される（Ｓ１２４）。次に、Ｓ１２４で作成されたページ順序テーブルと第一旧ページ順序テーブル記憶エリア３３２に記憶されている第一旧ページ順序テーブルとが比較される（Ｓ１２５）。そして、２つのページ順序テーブルを比較して、電子ペーパ５の順序が異なる、すなわち、電子ペーパ５がめくられている場合には（Ｓ１２５：ＹＥＳ）、ページ順序テーブル記憶エリア３３１に記憶されている現在のページ順序テーブルが、第二旧ページ順序テーブルとして第二旧ページ順序テーブル記憶エリア３３３に記憶される（Ｓ１２９）。そして、１秒間待機される（Ｓ１３０）。
【０１０１】
そして、再度、新たに位置検出用リング２４を用いて行われた環内位置の問い合わせ処理が行われて、ページ順序テーブルが作成され、ページ順序テーブル記憶エリア３３１に記憶される（Ｓ１３１）。そして、Ｓ１３１で作成されたページ順序テーブルと第二旧ページ順序テーブル記憶エリア３３３に記憶されている第二旧ページ順序テーブルとが比較される（Ｓ１３２）。そして、２つのページ順序テーブルを比較して、電子ペーパ５の順序が異ならない、すなわち、電子ペーパ５がもうめくられていない場合には（Ｓ１３２：ＮＯ）、めくり終わったと判断され、第一旧ページ順序テーブル記憶エリア３３２に記憶されている第一旧ページ順序テーブルと、ページ順序テーブル記憶エリア３３１に記憶されているページ順序テーブルとを比較して、ページめくり数が算出され、めくり数記憶エリア３４３に記憶される（Ｓ１３３）。具体的には、第一旧ページ順序テーブルでペーパページ番号が「１」とされている電子ペーパ５の識別情報が読み出され、現在のページ順序テーブルにおける、その識別情報の電子ペーパ５のペーパページ番号が読み出される。そして、そのペーパページ番号から「１」減算された値がページめくり数とされる。なお、このとき、最大のページ番号が接続ペーパの数として接続ペーパ数記憶エリア３３０に記憶され、本めくり数算出処理を呼び出したもとの処理に戻る。
【０１０２】
なお、Ｓ１３２において、電子ペーパ５の順序が異なる、すなわち、ユーザが電子ペーパ５をめくり続けている場合には（Ｓ１３２：ＹＥＳ）、１秒間待機され（Ｓ１３４）、Ｓ１２４へ戻る。
【０１０３】
また、Ｓ１２５において、現在のページ順序テーブルと第一旧ページ順序テーブルとを比較し、電子ペーパ５の順序が異ならない、すなわち、電子ペーパ５がめくられていない場合には（Ｓ１２５：ＮＯ）、一秒間待機した後に（Ｓ１２６）、Ｓ１２１で取得された時刻から１０分が経過したか否かの判断が行われる（Ｓ１２７）。１０分が経過していれば（Ｓ１２７：ＮＯ）、Ｓ１２４へ戻り、再度、現在のページ順序テーブルが作成され（Ｓ１２４）、第一旧ページ順序テーブルと比較される（Ｓ１２５）。そして、電子ペーパ５がめくられれば、Ｓ１２５において、２つのページ順序テーブルが異なると判断されるので（Ｓ１２５：ＹＥＳ）、Ｓ１２９へ進むが、電子ペーパ５がめくられなければ（Ｓ１２５：ＮＯ）、繰り返しＳ１２４〜Ｓ１２７の処理が行われる。そして、めくり数算出処理が開始されて、Ｓ１２１で取得された時刻から１０分が経過したら（Ｓ１２７：ＹＥＳ）、ページめくり数が「０」としてめくり数記憶エリア３４３に記憶される（Ｓ１２８）。そして、めくり数算出処理は終了し、本めくり数算出処理を呼び出したもとの処理に戻る。
【０１０４】
そして、図２１に示すメイン処理では、めくり数算出処理（Ｓ７）が終了すると、算出されためくり数が「１」であり、前回選択のコンテンツを表示させる選択が行われたか否かの判断が行われる（Ｓ８）。めくり数が「１」であれば（Ｓ８：ＹＥＳ）、前回表示したコンテンツ、すなわち、表示コンテンツ記憶エリア３３８に記憶されているコンテンツを表示すればよいので、何もせずにＳ１０へ進む。一方、めくり数が「１」でなければ（Ｓ８：ＮＯ）、前回選択のコンテンツ以外のコンテンツを表示させたいということなので、コンテンツ選択処理が行われる（Ｓ９、参照）。
【０１０５】
ここで、図２２のフローチャートを参照して、コンテンツ選択処理（Ｓ９）について説明する。コンテンツ選択処理では、まず、目次ページ作成のための目次情報が作成される（Ｓ３１）。ここでは、コンテンツ目次ページ作成のための目次情報及び各コンテンツの第１章の章目次ページ作成のための目次情報が作成される。
【０１０６】
具体的には、コンテンツ目次ページのために、メモリカード３８に記憶されているコンテンツの名称が読み出され、目次情報記憶エリア３３４の名称３３４１に記憶される。そして、接続ペーパ数記憶エリア３３０に記憶されている接続ペーパの数と読み出されたコンテンツの名称の数（コンテンツの数）とが比較される。コンテンツの数が「接続ペーパ数−１」よりも多い場合には、コンテンツ目次ページが２枚となるので、初めの「接続ペーパ数−２」個分のコンテンツには項目番号３３４２に「１」が記憶される。そして、次の「接続ペーパ数−２」個分のコンテンツには項目番号３３４２に「２」が記憶される。なお、「（接続ペーパ数−２）＊２」よりも多ければ３枚目のコンテンツ目次ページが必要となるので、次の「接続ペーパ数−２」個分のコンテンツには項目番号３３４２に「３」が記憶される。このように、接続ペーパ数とコンテンツ数に応じて項目番号が割り当てられる。そして、各コンテンツ名に「１」〜「接続ペーパ数−１」のめくり数が割り当てられる。なお、項目番号３３４２が「２」以上である場合には、次のコンテンツ目次ページが最後の電子ペーパ５に表示されるので、「１」〜「接続ペーパ数−２」のめくり数が割り当てられる。なお、ここで、最大項目番号記憶エリア３３５に最大の項目番号が記憶される。
【０１０７】
さらに、章目次ページのために、メモリカード３８に記憶されているコンテンツの章の情報が読み出される。そして、章の数が「接続ペーパ数−１」よりも多い場合には、初めの「接続ペーパ数−２」個分の章の名称が名称３３４１に記憶され、「接続ペーパ数−１」より多くない場合には、始めの「接続ペーパ数−１」個分の章の名称が名称３３４１に記憶される。そして、項目番号３３４２には「１」が記憶され、めくり数が順に割り当てられる。
【０１０８】
そして、コンテンツ目次データの目次情報において項目番号が「１」以上のものがあるか否かの判断が行われる（Ｓ３２）。項目番号「１」以上のものがなければ（Ｓ３２：ＮＯ）、コンテンツ目次ページは１枚のみである。そこで、目次情報記憶エリア３３４のコンテンツ目次ページについての目次情報が読み出され、コンテンツ目次ページが作成され、ペーパページ番号「１」の電子ペーパ５の表示部３６に表示される（Ｓ３３）。そして、各コンテンツの章目次ページについての目次情報が読み出され、１枚目の章目次ページが作成され、ペーパページ番号「２」〜「最大のページ番号（接続ペーパ数）」の電子ペーパ５の表示部３６に表示される（Ｓ３４）。
【０１０９】
そして、現在も表示装置１がユーザによって使用されているかどうかを判断するために、計時装置５１から現在の時刻が取得されて計測開始時刻記憶エリア３３７に記憶される（Ｓ３５）。そして、加速度センサ５０の出力値が変化したか否かの判断が行われる（Ｓ３６）。なお、ここでも加速度センサ５０の測定値が前回と比較して変化したと判断される閾値は、測定値から換算した加速度の差が１Ｇ以上である場合とする。そして、加速度センサ５０の出力値が変化していれば（Ｓ３６：ＹＥＳ）、電子ペーパ５のめくられた枚数を算出するめくり数算出処理が行われる（Ｓ３８、図２７参照）。めくり算出処理によりめくられた枚数が算出されたら、目次情報記憶エリア３３４において、項目番号「１」であり、めくり数がＳ３８で算出された枚数であるコンテンツの名称が読み出され、表示コンテンツ記憶エリア３３８に記憶される（Ｓ５１）。そして、メイン処理へ戻る。
【０１１０】
一方、加速度センサ５０の出力値が変化していなければ（Ｓ３６：ＮＯ）、Ｓ３７へ進み、Ｓ３５の時点から１０分が経過したか否かの判断が行われ（Ｓ３７）、１０分経過していなければ（Ｓ３７：ＮＯ）、Ｓ３６へ戻り、再び加速度センサ５０の出力値の変化の判断が行われる（Ｓ３６）。そして、Ｓ３６，Ｓ３７の処理が繰り返し行われ、１０分が経過したら（Ｓ３７：ＹＥＳ）、ユーザが表示装置１を置いてしまっている、すなわち、閲覧する気がないと判断され、本コンテンツ選択処理を終了させ、メイン処理へ戻る。すなわち、表示させるコンテンツは選択されず、前回選択されていたコンテンツが表示コンテンツ記憶エリア３３８に記憶されているコンテンツがそのまま記憶されている。
【０１１１】
また、Ｓ３２において、項目番号が「１」より大きいと判断された場合には（Ｓ３２：ＹＥＳ）、コンテンツ目次ページは複数存在することになる。そこで、目次情報記憶エリア３３４の項目番号「１」のコンテンツ目次ページについての情報が読み出され、コンテンツ目次ページが作成され、ペーパページ番号「１」の電子ペーパ５の表示部３６に表示される（Ｓ４１）。そして、各コンテンツの章目次ページについての目次情報が読み出され、１枚目の章目次ページが作成され、ペーパページ番号「２」〜「最大のページ番号（接続ペーパ数）−１」の電子ペーパ５の表示部３６に表示される（Ｓ４２）。そして、目次情報記憶エリア３３４の項目番号「２」のコンテンツ目次ページについての情報が読み出され、ペーパページ番号「最大のページ番号」の電子ペーパ５の表示部３６に表示される（Ｓ４３）。
【０１１２】
そして、現在も表示装置１がユーザによって使用されているかどうかを判断するための時間を計測するために、計時装置５１から現在の時刻が取得されて計測開始時刻記憶エリア３３７に記憶される（Ｓ４４）。そして、加速度センサ５０の出力値が変化したか否かの判断が行われる（Ｓ４５）。なお、ここでも加速度センサ５０の測定値が前回と比較して変化したと判断される閾値は、測定値から換算した加速度の差が１Ｇ以上である場合とする。そして、加速度センサ５０の出力値が変化していれば（Ｓ４５：ＹＥＳ）、電子ペーパ５のめくられた枚数を算出するめくり数算出処理が行われる（Ｓ４７、図２７参照）。めくり算出処理によりめくられた枚数が算出されたら、まず、ページ順序テーブル記憶エリア３３１に記憶されているページ順序テーブルの１番目の電子ペーパ５が、第一旧ページ順序テーブル記憶エリア３３２の旧ページ順序テーブルの最後の順序（上記例では１０番目）の電子ペーパ５であるか否かにより、最後のページ即ち項目番号「２」のコンテンツ目次ページが開かれているか否かの判断が行われる（Ｓ４８）。
【０１１３】
そこで、最後の電子ペーパ５が開かれていない場合には（Ｓ４８：ＮＯ）、目次情報記憶エリア３３４において、項目番号「１」であり、めくり数がＳ３８で算出された枚数であるコンテンツの名称３３４１が読み出され、表示コンテンツ記憶エリア３３８に記憶される（Ｓ５１）。そして、メイン処理へ戻る。図７に示す目次情報記憶エリア３３４の例では、図８に示すコンテンツ目次ページ５０１が最前面に表示されている状態（図１２に示す模式図６００）から、図１４に示す模式図６２０の状態にめくられたとすると、めくり数は「５−１＝４」であり、めくり数が「４」として目次情報記憶エリア３３４のめくり数３３４３に記憶されてい名称３３４１が「おいしい紅茶の淹れ方」であるコンテンツが選択されたコンテンツとして、表示コンテンツ記憶エリア３３８に記憶される。
【０１１４】
一方、最後の電子ペーパ５が開かれている場合には（Ｓ４８：ＹＥＳ）、次のコンテンツ目次ページの情報に基づいて、他の電子ペーパ５の表示部３６を更新する必要がある。そこで、目次情報記憶エリア３３４に記憶されている全てのコンテンツの情報について、項目番号の値から「１」が減算され（Ｓ４９）、項目番号の値が「０」となったコンテンツについては、項目番号が最大項目番号記憶エリア３３５に記憶されている最大の項目番号に置き換えられる（Ｓ５０）。そして、Ｓ４１へ戻り、目次情報記憶エリア３３４の項目番号「１」のコンテンツ目次ページについての情報が読み出され、コンテンツ目次ページが作成され、ペーパページ番号「１」の電子ペーパ５の表示部３６に表示される（Ｓ４１）。そして、ペーパページ番号「２」〜「最大のページ番号（接続ペーパ数）−１」の電子ペーパ５の表示部３６に、項目番号３３４２が「１」の各コンテンツの章目次ページが表示される（Ｓ４２）。そして、目次情報記憶エリア３３４の項目番号３３４２が「２」のコンテンツ目次ページについての情報が読み出され、ペーパページ番号「最大のページ番号」の電子ペーパ５の表示部３６に表示される（Ｓ４３）。
【０１１５】
図７に示す目次情報記憶エリア３３４の例では、図８に示すコンテンツ目次ページ５０１が最前面に表示されている状態（図１２に示す模式図６００）から、１０枚目のコンテンツ目次ページ５０２（図９）が最前面にくるまでめくった場合に（Ｓ４８：ＹＥＳ）、最前面には項目番号が「２」から「１」となった（Ｓ４９）コンテンツのコンテンツ目次ページ５０２（図９）が表示され（Ｓ４２）、最後の１０枚目には項目番号が「１」から「０」（Ｓ４９）、「０」から最大項目番号の「２」となった（Ｓ５０）コンテンツのコンテンツ目次ページ５０１（図８）が表示される（Ｓ４３）。この状態は図１３に示す模式図６１０の状態であるが、ここでは、便宜的にもともとの項目番号で記載されている。
【０１１６】
そして、章目次ページが表示されている電子ペーパ５が開かれていれば（Ｓ４５：ＹＥＳ，Ｓ４７，Ｓ４８：ＮＯ）、そのコンテンツが表示コンテンツ記憶エリア３３８に記憶され（Ｓ５１）、メイン処理へ戻る。また、最後の電子ペーパ５が開かれている場合には（Ｓ４８：ＹＥＳ）、項目番号３３４２が「２」のコンテンツ目次ページの情報に基づいて、他の電子ペーパ５の表示部３６を更新される（Ｓ４９，Ｓ５０，Ｓ４２，Ｓ４３）。ここで、最大項目番号記憶エリア３３５に記憶されている最大項目番号が「２」である場合には、再度１枚目のコンテンツ目次ページが表示されるが、最大項目番号が「３」以上であれば、３枚目のコンテンツ目次ページが表示されることとなる。
【０１１７】
なお、加速度センサ５０の出力値が変化していなければ（ＳＳ４５：ＮＯ）、Ｓ４６へ進み、Ｓ４４の時点から１０分が経過したか否かの判断が行われ（Ｓ４６）、１０分経過していなければ（Ｓ４６：ＮＯ）、Ｓ４５へ戻り、再び加速度センサ５０の出力値の変化の判断が行われる（Ｓ４５）。そして、Ｓ４５，Ｓ４６の処理が繰り返し行われ、１０分が経過したら（Ｓ４６：ＹＥＳ）、ユーザが表示装置１を置いてしまっている、すなわち、閲覧する気がないと判断され、本コンテンツ選択処理を終了させ、メイン処理へ戻る。すなわち、表示させるコンテンツは選択されず、前回選択されていたコンテンツが表示コンテンツ記憶エリア３３８に記憶されているコンテンツがそのまま記憶されている。
【０１１８】
以上のようにして、コンテンツ目次ページに記載されているめくり数電子ペーパ５をめくることにより、表示するコンテンツを選択することができる。
【０１１９】
そして、図２１に示すように、メイン処理では、コンテンツ選択処理が終了すると（Ｓ９）、現在も表示装置１がユーザによって使用されているかどうかを判断するために、計時装置５１から現在の時刻が取得されて計測開始時刻記憶エリア３３７に記憶される（Ｓ１０）。加速度センサ５０の出力値が変化したか否かの判断が行われる（Ｓ１１）。なお、ここでも加速度センサ５０の測定値が前回と比較して変化したと判断される閾値は、測定値から換算した加速度の差が１Ｇ以上である場合とする。加速度センサ５０の出力値が変化していれば（Ｓ１１：ＹＥＳ）、章選択処理が行われる（Ｓ１３、図２３参照）。一方、加速度センサ５０の出力値が変化していなければ（Ｓ１１：ＮＯ）、Ｓ１１へ進み、Ｓ１０の時点から１０分が経過したか否かの判断が行われ（Ｓ１２）、１０分経過していなければ（Ｓ１２：ＮＯ）、Ｓ４へ戻り、再び加速度センサ５０の出力値の変化の判断が行われる（Ｓ１１）。そして、Ｓ１１，Ｓ１２の処理が繰り返し行われ、１０分が経過したら、ユーザが表示装置１を置いてしまっている、すなわち、閲覧する気がないと判断され（Ｓ１２：ＹＥＳ）、Ｓ１８へ進む。
【０１２０】
ここで、図２３のフローチャートを参照して、章選択処理（Ｓ１３）について説明する。まず、Ｘの値が「０」であるか否かの判断が行われる（Ｓ６１）。この変数Ｘは、初期値は「０」であり、後述する表示内容変換処理（Ｓ１７、図２６参照）が行われて、章の内容が電子ペーパ５に表示された際に「１」が記憶される。初期値は「０」なので（Ｓ６１：ＹＥＳ）、章目次ページ作成のための目次情報が作成される（Ｓ６２）。
【０１２１】
具体的には、メモリカード３８に記憶されているコンテンツの章の名称が読み出され、目次情報記憶エリア３３４の名称３３４１に記憶される。そして、接続ペーパ数記憶エリア３３０に記憶されている接続ペーパの数と読み出された章の名称の数（コンテンツの数）とが比較される。章の数が「接続ペーパ数−１」よりも多い場合には、コンテンツ目次ページが２枚となるので、初めの「接続ペーパ数−２」個分のコンテンツには項目番号３３４２に「１」が記憶される。そして、次の「接続ペーパ数−２」個分のコンテンツには項目番号３３４２に「２」が記憶される。なお、「（接続ペーパ数−２）＊２」よりも多ければ３枚目のコンテンツ目次ページが必要となるので、次の「接続ペーパ数−２」個分のコンテンツには項目番号３３４２に「３」が記憶される。このように、接続ペーパ数とコンテンツ数に応じて項目番号が割り当てられる。そして、各コンテンツ名に「１」〜「接続ペーパ数−１」のめくり数が割り当てられる。なお、項目番号３３４２が「２」以上である場合には、次のコンテンツ目次ページが最後の電子ペーパ５に表示されるので、「１」〜「接続ペーパ数−２」のめくり数が割り当てられる。なお、ここで、最大項目番号記憶エリア３３５に最大の項目番号が記憶される。
【０１２２】
そして、目次情報において項目番号３３４２が「１」以上のものがあるか否かの判断が行われる（Ｓ６３）。項目番号３３４２が「１」以上のものがなければ（Ｓ６３：ＮＯ）、コンテンツ目次ページは１枚のみである。そこで、第一表示処理が行われる（Ｓ６４、図２４参照）。
【０１２３】
第一表示処理では、図２４に示すように、まず、目次情報記憶エリア３３４の章目次ページについての情報が読み出され、章目次ページが作成され、ペーパページ番号「１」の電子ペーパ５の表示部３６に表示される（Ｓ９１）。そして、サンプルページ展開領域３４０に各章の１ページ目の画像がサンプルページの画像として展開され、ペーパページ番号「２」〜「最大のページ番号（接続ペーパ数）−１」の電子ペーパ５の表示部３６に各章のサンプルページ、すなわち、本実施の形態では、１ページ目の画像が表示される（Ｓ９２）。そして、ペーパページ番号「最大ページ番号」の電子ペーパ５の表示部３６に「コンテンツ選択の目次ページに移ります。」等のコンテンツ選択処理へ移行する旨のメッセージが表示される（Ｓ９３）。そして、章選択処理へ戻る。
【０１２４】
次いで、現在も表示装置１がユーザによって使用されているかどうかを判断するために、計時装置５１から現在の時刻が取得されて計測開始時刻記憶エリア３３７に記憶される（Ｓ６５）。そして、加速度センサ５０の出力値が変化したか否かの判断が行われる（Ｓ６６）。なお、ここでも加速度センサ５０の測定値が前回と比較して変化したと判断される閾値は、測定値から換算した加速度の差が１Ｇ以上である場合とする。そして、加速度センサ５０の出力値が変化していれば（Ｓ６６：ＹＥＳ）、電子ペーパ５のめくられた枚数を算出するめくり数算出処理が行われる（Ｓ６８、図２７参照）。
【０１２５】
そして、めくり算出処理によりめくられた枚数が算出されたら、まず、ページ順序テーブル記憶エリア３３１に記憶されているページ順序テーブルの１番目の電子ペーパ５が、第一旧ページ順序テーブル記憶エリア３３２の旧ページ順序テーブルの最後の順序（上記例では１０番目）の電子ペーパ５であるか否かにより、最後のページ即ちコンテンツ選択処理への移行のメッセージを表示した表示部３６が開かれているか否かの判断が行われる（Ｓ７９）。そして、最後のページが開かれていれば（Ｓ７９：ＹＥＳ）、コンテンツ選択処理が行われ（Ｓ８０、図２２参照）、改めてコンテンツが選択された後に、Ｓ６２へ戻り、そのコンテンツにおいての章選択が行われることとなる。
【０１２６】
一方、最後のページが開かれていなければ（Ｓ７９：ＮＯ）、目次情報記憶エリア３３４において、項目番号３３４２が「１」であり、めくり数がＳ６８で算出された枚数である章の名称が読み出され、表示章記憶エリア３３９に記憶され、選択された章のページの画像が表示画像展開領域３４１に展開される。そして、展開された画像のうち２ページ目以降の画像がペーパページ番号「２」〜「最大ページ番号」の電子ペーパ５の表示部３６に順に表示される（Ｓ８１）。そして、メイン処理へ戻る。なお、Ｓ８１では、選択された章の総ページ数がＲＡＭ３３の総ページ数記憶エリア３４２に記憶される。
【０１２７】
図１０に示す章目次ページ５０３の例では、図１５に示す模式図６３０のように、最前面に章目次ページ５０３が表示されている状態から、１枚めくられて、図１６の模式図６４０のように、第１章のサンプルページ５０４（図１１）が最前面にされると（Ｓ７５，Ｓ７６：ＮＯ，Ｓ７９：ＮＯ）、図１７に示す模式図５５０のように、２枚目以降に続きの２ページ目以降が順に表示される（Ｓ８１）。
【０１２８】
一方、加速度センサ５０の出力値が変化していなければ（Ｓ６６：ＮＯ）、Ｓ６７へ進み、Ｓ６５の時点から１０分が経過したか否かの判断が行われ（Ｓ６７）、１０分経過していなければ（Ｓ６７：ＮＯ）、Ｓ６６へ戻り、再び加速度センサ５０の出力値の変化の判断が行われる（Ｓ６６）。そして、Ｓ６６，Ｓ６７の処理が繰り返し行われ、１０分が経過したら（Ｓ６７：ＹＥＳ）、ユーザが表示装置１を置いてしまっている、すなわち、閲覧する気がないと判断され、本章選択処理を終了させ、メイン処理へ戻る。すなわち、表示部３６の更新は行われず、章目次ページ及びサンプルページが表示されたままとなっている。
【０１２９】
また、Ｓ６２において、項目番号３３４２が「１」より大きいと判断された場合には（Ｓ６３：ＹＥＳ）、章目次ページは複数存在することになる。そこで、第二表示処理が行われる（Ｓ７１、図２５参照）。
【０１３０】
第二表示処理では、図２５に示すように、まず、目次情報記憶エリア３３４の章目次ページについての情報が読み出され、章目次ページが作成され、ペーパページ番号「１」の電子ペーパ５の表示部３６に表示される（Ｓ９６）。そして、サンプルページ展開領域３４０に各章の１ページ目の画像がサンプルページの画像として展開され、ペーパページ番号「２」〜「最大のページ番号（接続ペーパ数）−２」の電子ペーパ５の表示部３６に各章のサンプルページ、すなわち、本実施の形態では、１ページ目の画像が表示される（Ｓ９７）。そして、「最大のページ番号（接続ペーパ数）−１」の電子ペーパ５の表示部３６に項目番号３３４２が「２」の章目次ページが表示される（Ｓ９８）。そして、ペーパページ番号「最大ページ番号」の電子ペーパ５の表示部３６には「コンテンツ選択の目次ページに移ります。」等のコンテンツ選択処理へ移行する旨のメッセージが表示される（Ｓ９９）。そして、章選択処理へ戻る。
【０１３１】
そして、現在も表示装置１がユーザによって使用されているかどうかを判断するために、計時装置５１から現在の時刻が取得されて計測開始時刻記憶エリア３３７に記憶される（Ｓ７２）。そして、加速度センサ５０の出力値が変化したか否かの判断が行われる（Ｓ７３）。なお、ここでも加速度センサ５０の測定値が前回と比較して変化したと判断される閾値は、測定値から換算した加速度の差が１Ｇ以上である場合とする。加速度センサ５０の出力値が変化していれば（Ｓ７３：ＹＥＳ）、電子ペーパ５のめくられた枚数を算出するめくり数算出処理が行われる（Ｓ７５、図２７参照）。めくり算出処理によりめくられた枚数が算出されたら、まず、ページ順序テーブル記憶エリア３３１に記憶されているページ順序テーブルの１番目の電子ペーパ５が、第一旧ページ順序テーブル記憶エリア３３２の旧ページ順序テーブルの最後より１つ前の順序（上記例では９番目）の電子ペーパ５であるか否かにより、最後のページ即ち項目番号３３４２が「２」のコンテンツ目次ページが開かれているか否かの判断が行われる（Ｓ７６）。
【０１３２】
そこで、最後より１つ前の電子ペーパ５が開かれていない場合には（Ｓ７６：ＮＯ）、ページ順序テーブル記憶エリア３３１に記憶されているページ順序テーブルの１番目の電子ペーパ５が、第一旧ページ順序テーブル記憶エリア３３２の旧ページ順序テーブルの最後の順序（上記例では１０番目）の電子ペーパ５であるか否かにより、最後のページ即ちコンテンツ選択処理への移行のメッセージを表示した表示部３６が開かれているか否かの判断が行われる（Ｓ７９）。そして、最後のページが開かれていれば（Ｓ７９：ＹＥＳ）、コンテンツ選択処理が行われ（Ｓ８０、図２２参照）、改めてコンテンツが選択された後に、Ｓ６２へ戻り、そのコンテンツにおいての章選択が行われることとなる。
【０１３３】
一方、最後のページが開かれていなければ（Ｓ７９：ＮＯ）、目次情報記憶エリア３３４において、項目番号３３４２が「１」であり、めくり数がＳ６８で算出された枚数である章の名称が読み出され、表示章記憶エリア３３９に記憶され、選択された章のページの画像が表示画像展開領域３４１に展開される。そして、展開された画像のうち２ページ目以降の画像がペーパページ番号「２」〜「最大ページ番号」の電子ペーパ５の表示部３６に順に表示される（Ｓ８１）。そして、メイン処理へ戻る。なお、Ｓ８１では、選択された章の総ページ数がＲＡＭ３３の総ページ数記憶エリア３４２に記憶される。
【０１３４】
一方、最後より１つ前の電子ペーパ５が開かれている場合には（Ｓ７６：ＹＥＳ）、次のコンテンツ目次ページの情報に基づいて、他の電子ペーパ５の表示部３６を更新する必要がある。そこで、目次情報記憶エリア３３４に記憶されている全てのコンテンツの情報について、項目番号３３４２の値から「１」が減算され（Ｓ７７）、項目番号３３４２の値が「０」となったコンテンツについては、項目番号が最大項目番号記憶エリア３３５に記憶されている最大の項目番号に置き換えられる（Ｓ７８）。そして、Ｓ７１へ戻り、第二表示処理が行われ（Ｓ７３）、項目番号３３４２が「１」となった章目次ページの情報に基づいて、他の電子ペーパ５の表示部３６が更新される（Ｓ７７、Ｓ７８，Ｓ７１）。ここで、最大項目番号が「２」である場合には、再度１枚目の章目次ページが表示されるが、最大項目番号が「３」以上であれば、３枚目の章目次ページが表示されることとなる。
【０１３５】
以上のようにして、章目次ページに記載されているめくり数電子ペーパ５をめくることにより、表示する章を選択することができる。さらに、めくった先の表示部３６にはサンプルページとして１ページ目の画像が表示されているので、ユーザは自分が閲覧したい情報であるか否かを判断しやすい。そして、サンプルページの次の順の電子ペーパ５以降の表示部３６には、サンプルページの続きのページが準じ表示されるので、ユーザはサンプルページを選択したら、そのままその情報を閲覧して、ページをめくると言う自然な動作により、続きの情報を閲覧することができる。
【０１３６】
そして、図２１に示すようにメイン処理では、章選択処理が終了すると（Ｓ１３）、現在も表示装置１がユーザによって使用されているかどうかを判断するために、計時装置５１から現在の時刻が取得されて計測開始時刻記憶エリア３３７に記憶される（Ｓ１４）。加速度センサ５０の出力値が変化したか否かの判断が行われる（Ｓ１５）。なお、ここでも加速度センサ５０の測定値が前回と比較して変化したと判断される閾値は、測定値から換算した加速度の差が１Ｇ以上である場合とする。加速度センサ５０の出力値が変化していれば（Ｓ１５：ＹＥＳ）、表示内容変換処理が行われる（Ｓ１７、図２６参照）。一方、加速度センサ５０の出力値が変化していなければ（Ｓ１５：ＮＯ）、Ｓ１５へ進み、Ｓ１４の時点から１０分が経過したか否かの判断が行われ（Ｓ１６）、１０分経過していなければ（Ｓ１６：ＮＯ）、Ｓ１５へ戻り、再び加速度センサ５０の出力値の変化の判断が行われる（Ｓ１５）。そして、Ｓ１５，Ｓ１６の処理が繰り返し行われ、１０分が経過したら（Ｓ１６：ＹＥＳ）、ユーザが表示装置１を置いてしまっている、すなわち、閲覧する気がないと判断され（Ｓ１６：ＹＥＳ）、Ｓ１８へ進む。
【０１３７】
ここで、図２６のフローチャートを参照して、表示内容変換処理について説明する。まず、変数Ｘに「１」が記憶される（Ｓ１００）。この変数Ｘは、本表示内容変換処理が行われたか否かを示す変数である。そして、現在も電子ペーパ５がユーザによって使用されているかどうかを判断するために、計時装置５１から現在の時刻が取得されて計測開始時刻記憶エリア３３７に記憶される（Ｓ１０１）。加速度センサ５０の出力値が変化したか否かの判断が行われる（Ｓ１０２）。なお、ここでも加速度センサ５０の測定値が前回と比較して変化したと判断される閾値は、測定値から換算した加速度の差が１Ｇ以上である場合とする。加速度センサ５０の出力値が変化していれば（Ｓ１０２：ＹＥＳ）、ユーザが現在も表示装置１を閲覧していると言うことなので、めくり数算出処理が行われる（Ｓ１０５、図２７参照）。
【０１３８】
一方、加速度センサ５０の出力値が変化していなければ（Ｓ１０２：ＮＯ）、Ｓ１０３へ進み、Ｓ１０１の時点から１０分が経過したか否かの判断が行われ（Ｓ１０３）、１０分経過していなければ（Ｓ１０３：ＮＯ）、Ｓ１０２へ戻り、再び加速度センサ５０の出力値の変化の判断が行われる（Ｓ１０２）。そして、Ｓ１０２，Ｓ１０３の処理が繰り返し行われ、１０分が経過したら（Ｓ１０３：ＹＥＳ）、ユーザが表示装置１を置いてしまっている、すなわち、閲覧する気がないと判断され、変数Ｘに「０」が記憶されて（Ｓ１０４）、本処理は終了されて、メイン処理へ戻る。
【０１３９】
加速度センサ５０の出力値に変化があり（Ｓ１０２：ＹＥＳ）、めくり数算出処理が行われたら（Ｓ１０５）、ページ順序テーブル記憶エリア３３１に記憶されているページ順序テーブルの１番目の電子ペーパ５（最前面の電子ペーパ５）に表示されている内容が白紙であるか否かの判断が行われる（Ｓ１０６）。ペーパページ番号が「１」の表示中文書内容に「白紙」を示す情報が記憶されている場合には（Ｓ１０６：ＹＥＳ）、その章のページが終了したことになるので（図１９の模式図６７０、図２０の模式図６８０参照）、章選択処理が行われ（Ｓ１１１、図２３参照）、次に表示する章が選択されて、Ｓ１０１へ戻る。
【０１４０】
一方、最前面の電子ペーパ５に白紙が表示されていない場合には（Ｓ１０６：ＮＯ）、まだ電子ペーパ５に表示されていないページの画像があるか否かの判断が行われる（Ｓ１０７）。具体的には、総ページ数記憶エリア３４２に記憶されているページ数と、ページ順序テーブル記憶エリア３３１に記憶されているページ順序テーブルの表示中文書内容に記憶されている情報のうち最大のページ数とが比較される。そこで、表示されていないページがなければ（Ｓ１０７：ＮＯ）、表示を更新する必要がないので、そのままＳ１０２へ戻る。
【０１４１】
一方、表示されていないページがある場合には（Ｓ１０７：ＹＥＳ）、続きのページの画像を表示させる必要がある。そこで、Ｓ１０５のめくり数算出処理により算出されためくり数が、続きのページ数よりも多いか否かの判断が行われる（Ｓ１０８）。そして、めくり数が続きのページ数よりも多くない場合には（Ｓ１０８：ＮＯ）、めくられた電子ペーパ５の全てにページの画像を表示することができるので、めくられた電子ペーパ５に順に、表示画像展開領域３４１に展開されている画像のうち続きのページの画像が表示される（Ｓ１０９）。そして、Ｓ１０２へ戻る。例えば、図１７の模式図６５０の状態から１枚の電子ペーパ５がめくられると、めくられたページ数「１」は続きのページ数「１２−１０＝２」よりも多くないので（Ｓ１０８：ＮＯ）、図１８の模式図６６０のように、めくられた電子ペーパ５（識別番号「Ｓ２１１２１」）に続きの１１ページ目の画像が表示される（Ｓ１０９）。
【０１４２】
また、めくり数が続きのページ数よりも多い場合には（Ｓ１０８：ＹＥＳ）、めくられた表示部に順に、表示画像展開領域３４１に展開されている画像のうち続きのページの画像が表示され、続きのページの画像が表示されなかった電子ペーパ５の表示部３６には白紙の画像が表示される（Ｓ１１０）。そして、Ｓ１０２へ戻る。例えば、図１８の模式図６６０の状態から３枚の電子ペーパ５がめくられると、めくられたページ数「３」は続きのページ数「１２−１１＝１」よりも多いので（Ｓ１０８：ＹＥＳ）、図１９の模式図６７０に示すように、めくられた電子ペーパ５のうち識別番号「Ｓ４７６１３」には続きの１２ページ目の画像が表示されるが、残りの２つの電子ペーパ５（識別番号「Ｓ４０１１２」、「Ｓ００１３４」には白紙が表示される。
【０１４３】
なお、めくられた電子ペーパ５とは、第一旧ページ順序テーブル記憶エリア３３２に記憶されている前回のページ順序テーブルの１番目の電子ペーパ５から、ページ順序テーブル記憶エリア３３１に記憶されている現在のページ順序テーブルの最後の順序の電子ペーパ５までの電子ペーパ５である。例えば、図１８に示す模式図６６０から図１９に示す模式図６７０の状態にめくられた場合では、模式図６６０の順序が若い方から３枚の電子ペーパ５がめくられている。この場合には、前回のページ順序テーブルの１番目の電子ペーパ５、つまり識別情報が「Ｓ４７６１３」の電子ペーパ５から、現在のページ順序テーブルの最後の順の電子ペーパ５、つまり識別情報が「Ｓ００１３４」の電子ペーパ５までの３枚、つまり、識別情報が「Ｓ４７６１３」、「Ｓ４０１１２」、「Ｓ００１３４」の電子ペーパ５がめくられた電子ペーパ５となる。
【０１４４】
Ｓ１０２へ戻ったら、次の電子ペーパ５のめくりの検出、めくり数の算出が行われ（ＳＳ１０２，Ｓ１０３，Ｓ１０５）、めくられた後の１番目の電子ペーパ５に表示されている画像に基づいて、章選択処理が行われたり（Ｓ１１１）、めくられた電子ペーパ５に続きのページの画像が表示されたりする（Ｓ１０７〜Ｓ１１０）。このような処理が繰り返され、ユーザにより表示装置１が置かれて１０分以上表示装置１が移動されなかった場合には、本処理は終了しメイン処理へ戻る。
【０１４５】
そして、図２１に示すように、メイン処理へ戻ると、表示コンテンツ記憶エリア３３８に記憶されているコンテンツの１枚目の目次ページが１番目の電子ペーパ５の表示部３６に表示されて（Ｓ１８）、電源がスリープ状態（省電力）にされ（Ｓ１９）、Ｓ１へ進む。そして、加速度センサ５０の出力値が変化するかの監視が継続的に行われる（Ｓ１：ＮＯ，Ｓ１）。
【０１４６】
以上のようにして、ユーザにより電子ペーパ５がめくられると、順に続きのページが表示されるので、ユーザはページめくりという自然な動作で情報を閲覧することができる。また、最後のページの画像が表示された電子ペーパ５より後の順序の電子ペーパ５には白紙が表示され（Ｓ１１０）、その白紙の電子ペーパ５を開いていると（Ｓ１０６：ＹＥＳ）、再度章の選択を行うことができるので（Ｓ１１１）、ユーザは、続きの章を継続して閲覧することができる。
【０１４７】
また、別のコンテンツを閲覧したい場合には、白紙の電子ペーパ５を最前面に表示させる（Ｓ１０６：ＹＥＳ）。すると、章選択処理へ進み（Ｓ１１１）、章目次ページが最前面の電子ペーパ５に表示され（Ｓ９１又はＳ９６）、最後の電子ペーパ５にはコンテンツ選択処理への移行のメッセージが表示され（Ｓ９３又はＳ９９）、ユーザがこのメッセージの表示された電子ペーパ５を開くと（Ｓ７９：ＹＥＳ）、コンテンツ選択処理へ進み（Ｓ８０）、コンテンツ目次ページが表示される（Ｓ４１又はＳ３３）。よって、ユーザは章の情報を閲覧している最中であっても、容易に別のコンテンツを選択することができる。
【０１４８】
このようにして、電子ペーパ５をめくることにより、コンテンツの選択や章の選択をすることができるので、表示装置１にボタンやタッチパネル等の入力手段を設ける必要がないので、省コストとなる。また、ボタンを設ける場合には、それだけ表示部の面積が狭くなってしまったり、表示装置１が大きくなってしまったりするが、電子ペーパ５をめくることによりコンテンツの選択や省の選択ができるので、ボタンが邪魔にならなない。また、ユーザが誤ってボタンを触ってしまい誤操作をしてしまうようなこともない。
【０１４９】
また、加速度センサ５０の出力値を監視することにより、ユーザが表示装置１を置いてしまっているかを判断しており（メイン処理のＳ５，Ｓ６、Ｓ１１，Ｓ１２、Ｓ１５，Ｓ１６、コンテンツ選択処理のＳ３６，Ｓ３７、Ｓ４５，Ｓ４６、章選択処理のＳ６６，Ｓ６７、Ｓ７３，Ｓ７４、表示内容変換処理のＳ１０２，Ｓ１０３）、ユーザが表示装置１をおいてしまっている場合には、電源をスリープ状態としている（メイン処理のＳ１９）。そして、継続的に加速度センサ５０の出力値を監視し（メイン処理のＳ１）、表示装置１が動かされた場合には（Ｓ１：ＹＥＳ）、ユーザが表示装置１を手にとったとして、処理を再開させている。したがって、ユーザが表示装置を置いてしまっているときには、電力が消費されず、省電力となる。
【０１５０】
なお、上記実施の形態のマスタペーパ３が「出力装置」に該当し、メモリカード３８が「単位情報記憶手段」に該当し、加速度センサ５０が「移動検知手段」に該当し、電圧計測部４８が「電圧計測手段」に該当する。コンテンツ目次ページ、章目次ページ、サンプルページ（１ページ目の画像）が「代表画像」に該当する。そして、メイン処理（図２１）のＳ２のページ順序テーブルを作成する処理、めくり数算出処理（図２７）のＳ１２４，Ｓ１３１において、現在のページ順序テーブルを作成する際に位置検出用リング２４を用いて０〜２５５の環内位置に問い合わせ処理を行い、スレーブペーパ４からの製造番号の応答を受信する処理を行うＣＰＵ３１が「位置情報取得手段」に相当する。そして、図２１のメイン処理のＳ２のページ順序テーブルを作成する処理、めくり数算出処理（図２７）のＳ１２４，Ｓ１３１において、スレーブペーパ４からの応答された製造番号及び環内位置をページ順序テーブルに記憶し、環内位置でソートする処理を行うＣＰＵ３１が「順序判定手段」に相当する。
【０１５１】
そして、図２２のコンテンツ選択処理のＳ３４，Ｓ４２の処理、図２４の第一表示処理のＳ９２の処理、図２５の第二表示処理のＳ９７の処理を行うＣＰＵ３１が「代表画像表示制御手段」に相当する。そして、図２２のコンテンツ選択処理のＳ３６〜Ｓ３８，Ｓ４５〜Ｓ４８の処理、図２３の章選択処理のＳ６６〜Ｓ６８、Ｓ７３〜Ｓ７６の処理を行うＣＰＵ３１が「最前面表示手段判断手段」に相当する。そして、図２３の章選択処理のＳ８１の処理、図２４の第一表示処理のＳ９２の処理、図２５の第二表示処理のＳ９７の処理、図２６の表示内容変換処理のＳ１０６，Ｓ１１１の処理を行うＣＰＵ３１が「書換手段」に相当する。そして、図２２のコンテンツ選択処理のＳ３１，Ｓ３３，Ｓ４１、図２３の章選択処理のＳ６２、図２４の第一表示処理のＳ９１、図２５の第二表示処理のＳ９６，Ｓ９８の処理を行うＣＰＵ３１が「目次ページ作成手段」に相当する。そして、図２２のコンテンツ選択処理のＳ３３，Ｓ４１、図２４の第一表示処理のＳ９１、図２５の第二表示処理のＳ９６，Ｓ９８の処理を行うＣＰＵ３１が「目次ページ表示制御手段」に相当する。そして、図２６の表示内容変換処理のＳ１０２，Ｓ１０３，Ｓ１０５の処理を行うＣＰＵ３１が「めくり検出手段」に相当する。そして、図２６の表示内容変換処理のＳ１０９，Ｓ１１０を行うＣＰＵ３１が「めくり書換手段」に相当する。そして、図２３の章選択処理のＳ６２、図２４の第一表示処理のＳ９１、図２５の第二表示処理のＳ９６，Ｓ９８の処理を行うＣＰＵ３１が「下位目次ページ作成手段」に相当する。
【０１５２】
なお、本発明の表示装置、出力装置は、上記した実施の形態に限定されるものではなく、本発明の要旨を逸脱しない範囲内において種々変更を加え得ることは勿論である。上記実施の形態では、表示装置１に表示させる単位情報を「コンテンツ」と「章」の２階層としているが、「章」の階層は持たず「コンテンツ」のみであってもよい。また、表示装置１で表示させる情報が１つのコンテンツのみである場合には「章」のみを単位情報としてもよい。また、「章」の下にさらに「段落」等の単位情報を設け、階層を深くしてもよい。この場合には、メイン処理において、章選択処理（Ｓ１３）の後に、表示装置１が１０分以上動かされていない状態であるか否かの判断処理（Ｓ５，Ｓ６やＳ１１，Ｓ１２と同様の処理）を行い、その後に「段落選択処理」を行うようにすればよい。この段落選択処理は、章選択処理と同様の流れとなっており、章目次ページの代わりに段落目次ページが用いられ、最後のページが開かれた場合には（Ｓ７９：ＹＥＳ）、コンテンツ選択処理へ進むのではなく、章選択処理へ進む。また、サンプルページは各段落の１ページ目の画像となる。さらに、章選択処理においては、サンプルページの代わりに段落目次ページが表示されることとなる。
【０１５３】
また、上記実施の形態では、「コンテンツ」は必ず「章」で構成されていたが、「章」を持たない「コンテンツ」が存在してもよい。つまり、「コンテンツ」ごとに階層の深さが異なっていてもよい。このように単位情報の階層の深さが一定でない場合には、コンテンツ選択処理において、コンテンツ目次ページよりも後ろの電子ペーパ５に章目次ページを表示させるのではなく、サンプルページとして当該コンテンツの１ページ目の画像が表示されることとなる。つまり、図２２に示すＳ３４，Ｓ４２の処理において、当該コンテンツが下位の下位の単位情報、つまり「章」で構成されているか否かの判断が行われ（この処理を行うＣＰＵ３１が「下位判断手段」に相当する）、下位の単位情報で構成されていない場合には、１ページ目の画像をサンプルページとして表示する。そして、下位の単位情報で構成されている場合には、図２２に示す例と同様に、章目次ページが表示されることとなる。さらに、章選択処理においては、最初に、表示コンテンツ記憶エリア３３８に記憶されているコンテンツが下位の単位情報で構成されているか否かの判断が行われ、下位の単位情報で構成されていない場合には、２番目の電子ペーパ５以降の電子ペーパ５に、２ページ目以降の画像が順に表示され、章選択処理は終了する。また、下位の単位情報で構成されている場合には、図２２に示すＳ３１〜Ｓ５１の処理が実施される。
【０１５４】
また、上記実施の形態では、章の最後ページの画像が表示された電子ペーパ５より順序が後の電子ペーパ５に白紙を表示して、白紙が表示された電子ペーパ５が開かれると、その電子ペーパ５に章目次ページが表示されている。これに加えて、ページ順序テーブルを作成した再に、順番が最後の電子ペーパ５の表示部には必ず章目次ページ（表示コンテンツ記憶エリア３３８に記憶されているコンテンツの章目次ページ）を表示させるようにしてもよい。これにより、章の最後のページまで電子ペーパ５をめくらなくても、いつでも最後の電子ペーパ５に章目次ページを開くことができ、別の章を表示させたり、別のコンテンツを選択するためのコンテンツ目次ページを表示させたりすることができる。
【０１５５】
また、上記実施の形態では、代表画像として章コンテンツページを用いたが、単位情報を選択する際の代表画像を１つ下位の階層の単位情報の目次ページでなく、単位情報の１ページ目の画像にしてもよい。また、単位情報ごとに内容をアピールする文章や要約を記憶しておき、その情報の画像を表示させてもよい。
【０１５６】
また、上記実施の形態では、電子ペーパ５の片面のみに表示部３６が備えられているものとして説明したが、電子ペーパ５の両面に表示部３６が備えられていてもよい。
【０１５７】
また、上記実施の形態では、電子ペーパ５がめくられた場合、すぐにＳ１０９またはＳ１１０において、めくられた電子ペーパ５の表示部３６に続きのページの画像を表示させたが、めくられた電子ペーパ５の数が一定数以上になったときに初めて、めくられた電子ペーパ５の表示部３６に続きのページの画像を表示させてもよい。この場合には、Ｓ１０７において、表示されていないページがあると判断されても（Ｓ１０７：ＹＥＳ）、Ｓ１０５で算出されためくり数が所定数以上でなければ、Ｓ１０８〜Ｓ１１０の処理を行わずに、めくられたページ数を記憶しておき（めくり数合計カウンタ）、Ｓ１０２へ戻ればよい。そして、次にまた電子ペーパ５がめくられた際に、Ｓ１０７が実施され、表示されていないページがあると判断された際には、Ｓ１０５で算出されためくり数をめくり数合計カウンタに加算し、その数が所定数以上であれば、Ｓ１０８〜Ｓ１１０の処理を行えばよい。また、再度めくられてめくり数合計カウンタの値が所定数以上でなければ、Ｓ１０５で算出されためくり数をめくり数合計カウンタに加算するだけで、Ｓ１０２へ戻ればよい。なお、めくり数合計カウンタは、メイン処理開始時に初期値「０」が与えられており、その数が所定数以上であると判断された際に「０」に初期化される。
【０１５８】
また、上記実施形態では、リング２１〜２４がＯ字状の形状をしたものとして説明したが、リング２１〜２４は電子ペーパの貫通孔１１〜１４に貫通する貫通部を備えていれば他の形状であっても良い。例えばＤ字状の形状であっても良い。
【図面の簡単な説明】
【０１５９】
【図１】表示装置１の外観を模式的に示した外観図である。
【図２】表示装置１の位置検出手段である位置検出用リング２４の説明図である。
【図３】表示装置１の構成を示すブロック図である。
【図４】マスタペーパ３のＲＡＭ３３のデータ構造を示す構成図である。
【図５】スレーブペーパ４のＲＡＭ４３のデータ構造を示す構成図である。
【図６】ページ順序テーブル記憶エリア３３１に記憶されたページ順序テーブルのデータ構造を示す構成図である。
【図７】目次情報記憶エリア３３４のデータ構造を示す構成図である。
【図８】表示するコンテンツを選択させる際に表示される１枚目のコンテンツ目次ページ５０１を示す図である。
【図９】図８に示した１枚目のコンテンツ目次ページ５０１の次に表示される２枚目のコンテンツ目次ページ５０２を示す図である。
【図１０】章を選択させる際に表示される章目次ページ５０３を示す図である。
【図１１】章を選択させる際に表示されるサンプルページ５０４を示す図である。
【図１２】１番目の電子ペーパ５に１枚目のコンテンツ目次ページ５０１が表示されている状態の模式図６００である。
【図１３】模式図６００の状態から電子ペーパ５がめくられて、１番目の電子ペーパ５に２枚目のコンテンツ目次ページ５０２が表示されている状態の模式図６１０である。
【図１４】模式図６００の状態から電子ペーパ５がめくられて、１番目の電子ペーパ５に４つ目のコンテンツのサンプルページが表示されている状態の模式図６２０ある。
【図１５】４つ目のコンテンツが表示コンテンツとして選択されて、４つ目のコンテンツの章目次ページ５０３が表示されている状態の模式図６３０である。
【図１６】４つ目のコンテンツの第１章が表示章として選択された状態の模式図６４０である。
【図１７】４つ目のコンテンツの第１章が表示章として選択され、第１章の継続するページが表示された状態の模式図６５０である。
【図１８】４つ目のコンテンツの第１章が読み進められて、２ページ目が最前面に置かれている状態の模式図６６０である。
【図１９】４つ目のコンテンツの第１章が読み進められて、５ページ目が最前面に置かれている状態の模式図６７０である。
【図２０】４つ目のコンテンツの第１章の最後の１２ページ目がめくられ、読み終えられた状態模式図６８０である。
【図２１】マスタペーパ３のＣＰＵ３１で実施されるメイン処理のフローチャートである。
【図２２】メイン処理で実施されるコンテンツ選択処理のフローチャートである。
【図２３】メイン処理で実施される章選択処理のフローチャートである。
【図２４】章選択処理で実施される第一表示処理のフローチャートである。
【図２５】章選択処理で実施される第二表示処理のフローチャートである。
【図２６】メイン処理で実施される表示内容更新処理のフローチャートである。
【図２７】メイン処理、コンテンツ選択処理、章選択処理、表示内容変換処理で実施されるめくり数算出処理のフローチャートである。
【図２８】電源供給用リング２１の断面を示す模式図である。
【図２９】位置検出用リング２４の断面を示す模式図である。
【図３０】電源供給用貫通孔１１に電源供給用リング２１が貫通されている状態を示す模式図である。
【符号の説明】
【０１６０】
１  表示装置
２  綴じ部材
３  マスタペーパ
４  スレーブペーパ
５  電子ペーパ
２３  通信用リング
２４  位置検出用リング
３１  ＣＰＵ
３８  メモリカード
４７  位置検出部
５０  加速度センサ
３３０  接続ペーパ数記憶エリア
３３１  ページ順序テーブル記憶エリア
３３２  第一旧ページ順序テーブル記憶エリア
３３３  第二旧ページ順序テーブル記憶エリア
３３４  目次情報記憶エリア
３３４  最大項目番号記憶エリア
３３５  加速度センサ値記憶エリア
３３７  表示コンテンツ記憶エリア
３３８  表示章記憶エリア
５０１  コンテンツ目次ページ
５０２  コンテンツ目次ページ
５０３  章目次ページ
５０４  サンプルページ
【図１】
2008046577.tif 000003
【図２】
2008046577.tif 000004
【図３】
2008046577.tif 000005
【図４】
2008046577.tif 000006
【図５】
2008046577.tif 000007
【図６】
2008046577.tif 000008
【図７】
2008046577.tif 000009
【図８】
2008046577.tif 000010
【図９】
2008046577.tif 000011
【図１０】
2008046577.tif 000012
【図１１】
2008046577.tif 000013
【図１２】
2008046577.tif 000014
【図１３】
2008046577.tif 000015
【図１４】
2008046577.tif 000016
【図１５】
2008046577.tif 000017
【図１６】
2008046577.tif 000018
【図１７】
2008046577.tif 000019
【図１８】
2008046577.tif 000020
【図１９】
2008046577.tif 000021
【図２０】
2008046577.tif 000022
【図２１】
2008046577.tif 000023
【図２２】
2008046577.tif 000024
【図２３】
2008046577.tif 000025
【図２４】
2008046577.tif 000026
【図２５】
2008046577.tif 000027
【図２６】
2008046577.tif 000028
【図２７】
2008046577.tif 000029
【図２８】
2008046577.tif 000030
【図２９】
2008046577.tif 000031
【図３０】
2008046577.tif 000032